(57)【特許請求の範囲】
【請求項１】
ワイヤレス通信システム中で動作可能なデバイスであって、
それぞれの、ワイヤレス通信デバイスから複数の通信ノードのうちの１つによって受信された信号の電力レベルを示す第１のデータと、前記複数の通信ノードのうちの前記１つによって送信されたビーコン信号の送信電力を示す第２のデータとを、前記複数の通信ノードの各々から受信するように構成された受信機であって、前記ビーコン信号の前記送信電力は前記複数の通信ノードのうちの前記１つによって測定される、前記受信機と、
前記複数の通信ノードのうちの前記１つによって受信された前記信号の前記電力レベルを示す前記第１のデータと、前記複数の通信ノードのうちの前記１つによって送信された前記ビーコン信号の前記送信電力を示す前記第２のデータとに少なくとも部分的に基づいて、前記複数の通信ノードからターゲット通信ノードを識別するように構成された選択モジュールと、
前記ワイヤレス通信デバイスに前記ターゲット通信ノードとの第１の通信チャネルを確立させるように構成されたプロセッサと、
を備える、デバイス。
【請求項２】
前記選択モジュールは、前記複数の通信ノードのうちの前記１つによって受信された前記信号の前記電力レベルと、前記複数の通信ノードのうちの前記１つによって送信された前記ビーコン信号の前記送信電力との最高の和をもつ前記複数の通信ノードから１つの通信ノードを識別することによって、前記複数の通信ノードから前記ターゲット通信ノードを識別する、請求項１に記載のデバイス。
【請求項３】
前記プロセッサは、第１の通信ノードおよび前記ワイヤレス通信デバイスのうちの少なくとも１つに終了時間を示す第３のデータを与えることであって、前記ワイヤレス通信デバイスと前記第１の通信ノードとの間の第２の通信チャネルが前記終了時間において終了される、終了時間を示す第３のデータを与えることと、前記ターゲット通信ノードおよび前記ワイヤレス通信デバイスのうちの少なくとも１つに開始時間を示す第４のデータを与えることであって、前記ワイヤレス通信デバイスと前記ターゲット通信ノードとの間の前記第１の通信チャネルが前記開始時間に確立される、開始時間を示す第４のデータを与えることと、を行うようにさらに構成された、請求項１に記載のデバイス。
【請求項４】
前記複数の通信ノードのうちの１つによって送信された前記ビーコン信号は、信号品質と識別子とを判断するための所定の信号を備える、請求項１に記載のデバイス。
【請求項５】
前記複数の通信ノードの各々の前記それぞれのデータは、前記複数の通信ノードの各々に送信された要求に応答して受信され、前記要求は、前記複数の通信ノードの各々に前記それぞれのデータを送信させる、請求項１に記載のデバイス。
【請求項６】
前記複数の通信ノードの各々は実質的に同じ識別子をブロードキャストする、請求項１に記載のデバイス。
【請求項７】
前記選択モジュールは、前記ワイヤレス通信デバイスが前記複数の通信ノードにアクセスできるかどうかを判断するようにさらに構成された、請求項１に記載のデバイス。
【請求項８】
前記複数の通信ノードのうちの前記１つによって送信された前記ビーコン信号は、ビーコンチャネルを介して送信される、請求項１に記載のデバイス。
【請求項９】
前記要求は、前記複数の通信ノードのうちの少なくとも１つによって少なくとも１回の測定を実行するための時間、持続時間、および周期的間隔のうちの少なくとも１つを示すデータを備える、請求項５に記載のデバイス。
【請求項１０】
前記複数の通信ノードの各々から受信された前記それぞれのデータは、前記複数の通信ノードのうちの少なくとも１つによって実行される少なくとも１回の測定の時間、持続時間、および周期的間隔のうちの少なくとも１つを示す第３のデータを備える、請求項１に記載のデバイス。
【請求項１１】
前記選択モジュールは、時間、持続時間、および周期的間隔のうちの少なくとも１つを示す前記第３のデータに少なくとも部分的に基づいて、前記複数の通信ノードから前記ターゲット通信ノードを識別するようにさらに構成された、請求項１０に記載のデバイス。
【請求項１２】
前記ワイヤレス通信デバイスは、セルフォン、携帯情報端末（ＰＤＡ）、スマートフォン、およびワイヤレスカードのうちの少なくとも１つを備え、前記複数の通信ノードの各々は、ピコノードおよびフェムトノードのうちの少なくとも１つを備え、前記第１の通信ノードは、ノードＢ、基地局、セルタワー、およびマクロノードのうちの少なくとも１つを備える、請求項３に記載のデバイス。
【請求項１３】
それぞれの、ワイヤレス通信デバイスから複数の通信ノードのうちの１つによって受信された信号の電力レベルを示す第１のデータと、前記複数の通信ノードのうちの前記１つによって送信されたビーコン信号の送信電力を示す第２のデータとを、前記複数の通信ノードの各々から受信することであって、前記ビーコン信号の前記送信電力は前記複数の通信ノードのうちの前記１つによって測定される、前記受信することと、
前記複数の通信ノードのうちの前記１つによって受信された前記信号の前記電力レベルを示す前記第１のデータと、前記複数の通信ノードのうちの前記１つによって送信された前記ビーコン信号の前記送信電力を示す前記第２のデータと、に少なくとも部分的に基づいて、前記複数の通信ノードからターゲット通信ノードを識別することと、
前記ワイヤレス通信デバイスに前記ターゲット通信ノードとの第１の通信チャネルを確立させることと
を備える、サーバにおける通信の方法。
【請求項１４】
前記ターゲット通信ノードを識別することは、前記複数の通信ノードのうちの前記１つによって受信された前記信号の前記電力レベルと、前記複数の通信ノードのうちの前記１つによって送信された前記ビーコン信号の前記送信電力との最高の和をもつ前記複数の通信ノードから１つの通信ノードを識別することを備える、請求項１３に記載の方法。
【請求項１５】
第１の通信ノードおよび前記ワイヤレス通信デバイスのうちの前記少なくとも１つに終了時間を示す第３のデータを与えることであって、前記ワイヤレス通信デバイスと前記第１の通信ノードとの間の第２の通信チャネルは前記終了時間において終了される、終了時間を示す第３のデータを与えることと、前記ターゲット通信ノードおよび前記ワイヤレス通信デバイスのうちの少なくとも１つに開始時間を示す第４のデータを与えることであって、前記ワイヤレス通信デバイスと前記ターゲット通信ノードとの間の前記第１の通信チャネルは前記開始時間に確立される、開始時間を示す第４のデータを与えることと、をさらに備える、請求項１３に記載の方法。
【請求項１６】
前記複数の通信ノードのうちの１つによって送信された前記ビーコン信号は、信号品質と識別子とを判断するための所定の信号を備える、請求項１３に記載の方法。
【請求項１７】
前記複数の通信ノードの各々の前記それぞれのデータは、前記複数の通信ノードの各々に送信された要求に応答して受信され、前記要求は、前記複数の通信ノードの各々に前記それぞれのデータを送信させる、請求項１３に記載の方法。
【請求項１８】
前記複数の通信ノードの各々は、実質的に同じ識別子をブロードキャストする、請求項１３に記載の方法。
【請求項１９】
前記ワイヤレス通信デバイスが前記複数の通信ノードにアクセスできるかどうかを判断することをさらに備える、請求項１３に記載の方法。
【請求項２０】
前記複数の通信ノードのうちの前記１つによって送信された前記ビーコン信号は、第１のチャネルおよびビーコンチャネルのうちの少なくとも１つを介して送信される、請求項１３に記載の方法。
【請求項２１】
前記要求は、前記複数の通信ノードのうちの少なくとも１つによって少なくとも１回の測定を実行するための時間、持続時間、および周期的間隔のうちの少なくとも１つを示すデータを備える、請求項１７に記載の方法。
【請求項２２】
前記複数の通信ノードの各々から受信された前記それぞれのデータは、前記複数の通信ノードのうちの少なくとも１つによって実行される少なくとも１回の測定の時間、持続時間、および周期的間隔のうちの少なくとも１つを示す第３のデータを備える、請求項１３に記載の方法。
【請求項２３】
時間、持続時間、および周期的間隔のうちの少なくとも１つを示す前記第３のデータに少なくとも部分的に基づいて、前記ターゲット通信ノードを識別することをさらに備える、請求項２２に記載の方法。
【請求項２４】
前記ワイヤレス通信デバイスは、セルフォン、携帯情報端末（ＰＤＡ）、スマートフォン、およびワイヤレスカードのうちの少なくとも１つを備え、前記複数の通信ノードの各々は、ピコノードおよびフェムトノードのうちの少なくとも１つを備え、前記第１の通信ノードは、ノードＢ、基地局、セルタワー、およびマクロノードのうちの少なくとも１つを備える、請求項１５に記載の方法。
【請求項２５】
ワイヤレス通信システム中で動作可能なデバイスであって、
それぞれの、ワイヤレス通信デバイスから複数の通信ノードのうちの１つによって受信された信号の電力レベルを示す第１のデータと、前記複数の通信ノードのうちの前記１つによって送信されたビーコン信号の送信電力を示す第２のデータとを、前記複数の通信ノードの各々から受信するための手段であって、前記ビーコン信号の前記送信電力は前記複数の通信ノードのうちの前記１つによって測定される、前記受信するための手段と、
前記複数の通信ノードのうちの前記１つによって受信された前記信号の前記電力レベルを示す前記第１のデータと、前記複数の通信ノードのうちの前記１つによって送信された前記ビーコン信号の前記送信電力を示す前記第２のデータと、に少なくとも部分的に基づいて、前記複数の通信ノードからターゲット通信ノードを識別するための手段と、
前記ワイヤレス通信デバイスに前記ターゲット通信ノードとの第１の通信チャネルを確立させるための手段と、
を備える、デバイス。
【請求項２６】
識別するための前記手段は、前記複数の通信ノードのうちの前記１つによって受信された前記信号の前記電力レベルと、前記複数の通信ノードのうちの前記１つによって送信された前記ビーコン信号の前記送信電力との最高の和をもつ前記複数の通信ノードから１つの通信ノードを識別することによって、前記複数の通信ノードから前記ターゲット通信ノードを識別する、請求項２５に記載のデバイス。
【請求項２７】
前記複数の通信ノードの各々から受信された前記それぞれのデータは、前記複数の通信ノードのうちの少なくとも１つによって実行される少なくとも１回の測定の時間、持続時間、および周期的間隔のうちの少なくとも１つを示す第３のデータを備える、請求項２５に記載のデバイス。
【請求項２８】
確立させるための前記手段は、第１の通信ノードおよび前記ワイヤレス通信デバイスのうちの少なくとも１つに終了時間を示す第３のデータを与えることであって、前記ワイヤレス通信デバイスと前記第１の通信ノードとの間の第２の通信チャネルは前記終了時間において終了される、終了時間を示す第３のデータを与えることと、前記ターゲット通信ノードおよび前記ワイヤレス通信デバイスのうちの少なくとも１つに開始時間を示す第４のデータを与えることであって、前記ワイヤレス通信デバイスと前記ターゲット通信ノードとの間の前記第１の通信チャネルは前記開始時間に確立される、開始時間を示す第４のデータを与えることと、を行うようにさらに構成された、請求項２５に記載のデバイス。
【請求項２９】
前記ワイヤレス通信デバイスは、セルフォン、携帯情報端末（ＰＤＡ）、スマートフォン、およびワイヤレスカードのうちの少なくとも１つを備え、前記複数の通信ノードの各々は、ピコノードおよびフェムトノードのうちの少なくとも１つを備え、前記第１の通信ノードは、ノードＢ、基地局、セルタワー、およびマクロノードのうちの少なくとも１つを備える、請求項２８に記載のデバイス。
【請求項３０】
コンピュータに、それぞれの、ワイヤレス通信デバイスから複数の通信ノードのうちの１つによって受信された信号の電力レベルを示す第１のデータと、前記複数の通信ノードのうちの前記１つによって送信されたビーコン信号の送信電力を示す第２のデータとを、前記複数の通信ノードの各々から受信させるためのコードであって、前記ビーコン信号の前記送信電力は前記複数の通信ノードのうちの前記１つによって測定される、前記受信させるためのコードと、
コンピュータに、前記複数の通信ノードのうちの前記１つによって受信された前記信号の前記電力レベルを示す前記第１のデータと、前記複数の通信ノードのうちの前記１つによって送信された前記ビーコン信号の前記送信電力を示す前記第２のデータと、に少なくとも部分的に基づいて、前記複数の通信ノードからターゲット通信ノードを識別させるためのコードと、
コンピュータに、前記ワイヤレス通信デバイスに前記ターゲット通信ノードとの第１の通信チャネルを確立させることを行わせるためのコードと、
を記憶したコンピュータ可読記憶媒体。
【請求項３１】
コンピュータに、前記複数の通信ノードのうちの前記１つによって受信された前記信号の前記電力レベルと、前記複数の通信ノードのうちの前記１つによって送信された前記ビーコン信号の前記送信電力と、の最高の和をもつ前記複数の通信ノードから１つの通信ノードを識別することによって、前記複数の通信ノードから前記ターゲット通信ノードを識別させるためのコードをさらに記憶した、請求項３０に記載のコンピュータ可読記憶媒体。
【請求項３２】
前記複数の通信ノードの各々から受信された前記それぞれのデータは、前記複数の通信ノードのうちの少なくとも１つによって実行される少なくとも１回の測定の時間、持続時間、および周期的間隔のうちの少なくとも１つを示す第３のデータを備える、請求項３０に記載のコンピュータ可読記憶媒体。
【請求項３３】
コンピュータに、第１の通信ノードおよび前記ワイヤレス通信デバイスのうちの前記少なくとも１つに終了時間を示す第３のデータを与えることであって、前記ワイヤレス通信デバイスと前記第１の通信ノードとの間の第２の通信チャネルは前記終了時間において終了される、終了時間を示す第３のデータを与えることと、前記ターゲット通信ノードおよび前記ワイヤレス通信デバイスのうちの少なくとも１つに開始時間を示す第４のデータを与えることであって、前記ワイヤレス通信デバイスと前記ターゲット通信ノードとの間の前記第１の通信チャネルは前記開始時間に確立される、開始時間を示す第４のデータを与えることと、を行わせるためのコードをさらに記憶した、請求項３０に記載のコンピュータ可読記憶媒体。
【請求項３４】
前記ワイヤレス通信デバイスは、セルフォン、携帯情報端末（ＰＤＡ）、スマートフォン、およびワイヤレスカードのうちの少なくとも１つを備え、前記複数の通信ノードの各々は、ピコノードおよびフェムトノードのうちの少なくとも１つを備え、前記第１の通信ノードは、ノードＢ、基地局、セルタワー、およびマクロノードのうちの少なくとも１つを備える、請求項３３に記載のコンピュータ可読記憶媒体。
【発明の詳細な説明】
【優先権の主張】
【０００１】
［３５Ｕ．Ｓ．Ｃ．§１１９の下の優先権の主張］
本特許出願は、本出願の譲受人に譲渡され、参照により本明細書に明確に組み込まれる、２００８年１１月２１日に出願された「METHOD AND APPARATUS FOR ACTIVE CALL HAND-IN FROM A MACRO CELL TO A FEMTO CELL」と題する米国特許仮出願第６１／１１７，０５２号の優先権を主張する。
【技術分野】
【０００２】
本出願は、一般にワイヤレス通信に関し、より詳細には、接続された呼中にマクロノードからフェムトノードへのハンドオフを可能にするためのシステムおよび方法に関する。
【背景技術】
【０００３】
ワイヤレス通信システムは、様々なタイプの通信（たとえば、ボイス、データ、マルチメディアサービスなど）を複数のユーザに提供するために広く展開されている。高速なマルチメディアデータサービスの需要が急速に増大するにつれて、向上したパフォーマンスをもつ効率的でロバストな通信システムを実装することが課題となっている。
【０００４】
現在展開されている携帯電話ネットワークに加えて、ユーザの家に設置され、既存のブロードバンドインターネット接続を使用してモバイルユニットに屋内ワイヤレスカバレッジを与えることができる新しいクラスの小さい基地局が出現した。そのようなパーソナル小型基地局は、一般に、ホームアクセスポイント（ＨＡＰ）、あるいは、代替的に、ホームノードＢ（ＨＮＢ）、フェムトセルまたはフェムトノードとして知られている。典型的には、そのような小型基地局は、ＤＳＬルータまたはケーブルモデムを介してインターネットおよびモバイル事業者のネットワークに接続される。従来のマクロノードのカバレッジエリア中では、個人ユーザによって複数のフェムトノードが展開されることがある。このタイプの展開は、マクロノードから特定のフェムトノードに呼をハンドオフすることを複雑にすることがある。マクロノードからフェムトノードに呼をハンドオフする仕方を調整することが望ましいことがある。
【発明の概要】
【０００５】
一実施形態では、ワイヤレス通信システム中で動作可能なデバイスを提供する。本デバイスは、ワイヤレス通信デバイスから複数の通信ノードのうちの１つによって受信された信号の電力レベルを示し、複数の通信ノードのうちの１つによって送信されたパイロット信号の送信電力を示すそれぞれのデータを、複数の通信ノードの各々から受信するように構成された受信機を備える。本デバイスは、複数の通信ノードのうちの１つによって受信された信号の電力レベルと、複数の通信ノードのうちの１つによって送信されたパイロット信号の電力レベルとに少なくとも部分的に基づいて、複数の通信ノードからターゲット通信ノードを識別するように構成された選択モジュールをさらに備える。本デバイスは、ワイヤレス通信デバイスにターゲット通信ノードとの通信チャネルを確立させるように構成されたプロセッサをさらに備える。
【０００６】
別の実施形態では、通信の方法を提供する。本方法は、ワイヤレス通信デバイスから複数の通信ノードのうちの１つによって受信された信号の電力レベルを示し、複数の通信ノードのうちの１つによって送信されたパイロット信号の送信電力を示すそれぞれのデータを、複数の通信ノードの各々から受信することを備える。本方法は、複数の通信ノードのうちの１つによって受信されたパイロット信号の電力レベルと、複数の通信ノードのうちの１つによって送信されたパイロット信号の電力レベルとに少なくとも部分的に基づいて、複数の通信ノードからターゲット通信ノードを識別することをさらに備える。本方法は、ワイヤレス通信デバイスにターゲット通信ノードとの通信チャネルを確立させることをさらに備える。
【０００７】
さらに別の実施形態では、ワイヤレス通信システム中で動作可能なデバイスを提供する。本デバイスは、ワイヤレス通信デバイスから複数の通信ノードのうちの１つによって受信された信号の電力レベルを示し、複数の通信ノードのうちの１つによって送信されたパイロット信号の送信電力を示すそれぞれのデータを、複数の通信ノードの各々から受信するための手段を備える。本デバイスは、複数の通信ノードのうちの１つによって受信されたパイロット信号の電力レベルと、複数の通信ノードのうちの１つによって送信されたパイロット信号の電力レベルとに少なくとも部分的に基づいて、複数の通信ノードからターゲット通信ノードを識別するための手段をさらに備える。本デバイスは、ワイヤレス通信デバイスに、ターゲット通信ノードとの通信チャネルを確立させるための手段をさらに備える。
【０００８】
さらなる実施形態では、コンピュータ可読媒体を備えるコンピュータプログラム製品を提供する。コンピュータ可読媒体は、コンピュータに、ワイヤレス通信デバイスから複数の通信ノードのうちの１つによって受信されたパイロット信号の電力レベルを示し、複数の通信ノードのうちの１つによって送信されたパイロット信号の送信電力を示すそれぞれのデータを、複数の通信ノードの各々から受信させるためのコードを備える。コンピュータ可読媒体は、コンピュータに、複数の通信ノードのうちの１つによって受信された信号の電力レベルと、複数の通信ノードのうちの１つによって送信されたパイロット信号の電力レベルとに少なくとも部分的に基づいて、複数の通信ノードからターゲット通信ノードを識別させるためのコードをさらに備える。コンピュータ可読媒体は、コンピュータに、ワイヤレス通信デバイスにターゲット通信ノードとの通信チャネルを確立させることを行わせるためのコードをさらに備える。
【０００９】
一実施形態では、ワイヤレス通信システム中で動作可能なデバイスを提供する。本デバイスは、パイロット信号をワイヤレス通信デバイスに送信するように構成された送信機を備える。本デバイスは、ワイヤレス通信デバイスから受信した信号の電力レベルとパイロット信号の送信電力とを得るように構成された測定モジュールをさらに備える。送信機は、ワイヤレス通信デバイスから受信した信号の電力レベルを示し、パイロット信号の送信電力を示すデータを、通信サーバに送信するようにさらに構成される。
【００１０】
別の実施形態では、通信の方法を提供する。本方法は、パイロット信号をワイヤレス通信デバイスに送信することを備える。本方法は、ワイヤレス通信デバイスから受信された信号の電力レベルを示し、パイロット信号の送信電力を示すデータを得ることをさらに備える。本方法は、ワイヤレス通信デバイスから受信された信号の電力レベルを示し、パイロット信号の送信電力を示すデータを通信サーバに送信することをさらに備える。
【００１１】
さらに別の実施形態では、ワイヤレス通信システム中で動作可能なデバイスを提供する。本デバイスは、パイロット信号をワイヤレス通信デバイスに送信するための手段を備える。本デバイスは、ワイヤレス通信デバイスから受信した信号の電力レベルとパイロット信号の送信電力とを得るための手段をさらに備える。送信するための手段は、ワイヤレス通信デバイスから受信された信号の電力レベルとパイロット信号の送信電力とを示すデータを送信するようにさらに構成される。
【００１２】
さらなる実施形態では、コンピュータ可読媒体を備えるコンピュータプログラム製品を提供する。コンピュータ可読媒体は、コンピュータに、パイロット信号をワイヤレス通信デバイスに送信させるためのコードを備える。コンピュータ可読媒体は、コンピュータに、ワイヤレス通信デバイスから受信された信号の電力レベルとパイロット信号の送信電力とを取得させるためのコードをさらに備える。コンピュータ可読媒体は、コンピュータに、ワイヤレス通信デバイスから受信された信号の電力レベルとパイロット信号の送信電力とを示すデータを送信させるためのコードをさらに備える。
【図面の簡単な説明】
【００１３】
【図１】図１は、例示的なワイヤレス通信ネットワークを示す図である。
【図２】図２は、２つ以上の通信ネットワークの例示的な相互動作を示す図である。
【図３】図３は、図１に示すワイヤレス通信ネットワークの例示的なカバレッジエリアを示す図である。
【図４】図４は、図２の通信ネットワークのうちの１つにおける、第１の例示的なフェムトノードと、第１の例示的なアクセス端末との機能ブロック図である。
【図５】図５は、図２の通信ネットワークのうちの１つの第２の例示的なアクセス端末の機能ブロック図である。
【図６】図６は、図２の通信ネットワークのうちの１つの第２の例示的なフェムトノードの機能ブロック図である。
【図７】図７は、図２に示す例示的なマクロノードの機能ブロック図である。
【図８】図８は、図２に示す例示的なモバイル交換センターの機能ブロック図である。
【図９】図９は、図２に示す例示的なフェムトコンバージェンスサーバ（ＦＣＳ）の機能ブロック図である。
【図１０】図１０は、図６に示すフェムトノードによって実行され得る第１の例示的な通信プロセスを示すフローチャートである。
【図１１】図１１は、図９に示すフェムトコンバージェンスサーバ（ＦＣＳ）によって実行され得る第２の例示的な通信プロセスを示すフローチャートである。
【図１２】図１２は、図２の通信ネットワークのうちの１つの第３の例示的なフェムトノードの機能ブロック図である。
【図１３】図１３は、図２の通信ネットワークのうちの１つの第２のフェムトコンバージェンスサーバ（ＦＣＳ）の機能ブロック図である。
【発明を実施するための形態】
【００１４】
「例示的」という単語は、本明細書では「例、事例、または例示の働きをすること」を意味するために使用する。本明細書で「例示的」と記載されたいかなる実施形態も、必ずしも他の実施形態よりも好ましいまたは有利であると解釈すべきではない。本明細書で説明する技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワークなど様々なワイヤレス通信ネットワークに対して使用できる。「ネットワーク」および「システム」という用語は、しばしば互換的に使用される。ＣＤＭＡネットワークは、ユニバーサル地上波無線アクセス(Universal Terrestrial Radio Access)（ＵＴＲＡ）、ｃｄｍａ２０００などの無線技術を実装することができる。ＵＴＲＡは、Ｗｉｄｅｂａｎｄ−ＣＤＭＡ（Ｗ−ＣＤＭＡ）および低チップレート（ＬＣＲ）を含む。ｃｄｍａ２０００は、ＩＳ−２０００、ＩＳ−９５およびＩＳ−８５６規格をカバーする。ＴＤＭＡネットワークは、移動通信用グローバルシステム(Global System for Mobile Communications)（ＧＳＭ）（登録商標）などの無線技術を実装することができる。ＯＦＤＭＡネットワークは、Ｅｖｏｌｖｅｄ  ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭＡなどの無線技術を実装することができる。ＵＴＲＡ、Ｅ−ＵＴＲＡ、およびＧＳＭは、ユニバーサルモバイル電気通信システム(Universal Mobile Telecommunication System)（ＵＭＴＳ）の一部である。ロングタームエボリューション(Long Term Evolution)（ＬＴＥ）は、Ｅ−ＵＴＲＡを使用するＵＭＴＳの今度のリリースである。ＵＴＲＡ、Ｅ−ＵＴＲＡ、ＧＳＭ、ＵＭＴＳおよびＬＴＥは、「第３世代パートナーシッププロジェクト(3rd Generation Partnership Project)」（３ＧＰＰ）という名称の組織からの文書に記載されている。ｃｄｍａ２０００は、「第３世代パートナーシッププロジェクト２(3rd Generation Partnership Project 2)」（３ＧＰＰ２）という名称の組織からの文書に記載されている。これらの様々な無線技術および規格は当技術分野で知られている。
【００１５】
シングルキャリア変調および周波数領域等化を利用するシングルキャリア周波数分割多元接続（ＳＣ−ＦＤＭＡ）は、１つの技法である。ＳＣ−ＦＤＭＡは、ＯＦＤＭＡシステムと同様の性能および本質的に同じ全体的な複雑さを有する。ＳＣ−ＦＤＭＡ信号は、その特有のシングルキャリア構造のためにより低いピーク対平均電力比（ＰＡＰＲ）を有する。ＳＣ−ＦＤＭＡは特に、より低いＰＡＰＲが送信電力効率の点でモバイル端末に大幅な利益を与えるアップリンク通信において大きい注目を引いている。それは現在、３ＧＰＰロングタームエボリューション（ＬＴＥ）、または進化型（Evolved）  ＵＴＲＡにおけるアップリンク多元接続方式に関する実用的な前提である。
【００１６】
いくつかの態様では、マクロスケールのカバレッジ（たとえば、一般にマクロセルネットワークと呼ばれる、３ｒｄ  Ｇｅｎｅｒａｔｉｏｎ（３Ｇ）ネットワークなどの広域セルラーネットワーク）、およびより小さいスケールのカバレッジ（たとえば、住居ベースまたは建築物ベースのネットワーク環境）を含むネットワーク中で、本明細書の教示を採用することができる。アクセス端末（「ＡＴ」）がそのようなネットワーク中を移動するとき、アクセス端末は、あるロケーションでは、マクロカバレッジを与える基地局によってサービスされ、他のロケーションでは、より小規模のカバレッジを与えるホームアクセスポイントによってサービスされることがある。いくつかの態様では、より小さいカバレッジノードを使用して、（たとえば、よりロバストなユーザ経験のために）増分キャパシティの増大と、屋内カバレッジと、様々なサービスとを与えることができる。本明細書での説明では、比較的大きいエリアにわたるカバレッジを与えるノードを、マクロノードと呼ぶ。比較的小さいエリア（たとえば、住居）にわたるカバレッジを与えるノードを、フェムトノードと呼ぶ。マクロエリアよりも小さく、フェムトエリアよりも大きいエリアにわたるカバレッジを与える（たとえば、商業建築物内のカバレッジを与える）ノードを、ピコノードと呼ぶ。
【００１７】
マクロノード、フェムトノード、またはピコノードに関連付けられたセルを、それぞれ、マクロセル、フェムトセル、またはピコセルと呼ぶ。いくつかの実装形態では、各セルをさらに１つまたは複数のセクタに関連付ける（たとえば、分割する）ことができる。
【００１８】
様々な適用例では、マクロノード、フェムトノード、またはピコノードを指すために他の用語を使用することがある。たとえば、マクロノードを、アクセスノード、基地局、アクセスポイント、ｅＮｏｄｅＢ、マクロセルなどとして構成する、または呼ぶことがある。また、フェムトノードを、Ｈｏｍｅ  ＮｏｄｅＢ、Ｈｏｍｅ  ｅＮｏｄｅＢ、アクセスポイント基地局、フェムトセルなどとして構成する、または呼ぶことがある。
【００１９】
図１に、例示的なワイヤレス通信ネットワーク１００を示す。ワイヤレス通信ネットワーク１００は、何人かのユーザ間の通信をサポートするように構成される。ワイヤレス通信ネットワーク１００は、１つまたは複数のセル１０２ａ〜１０２ｇに分割できる。セル１０２ａ〜１０２ｇ中の通信カバレッジが、１つまたは複数のノード１０４ａ〜１０４ｇによって与えられ得る。ノード１０４ａ〜１０４ｇの各々は、対応するセル１０２ａ〜１０２ｇに通信カバレッジを与えることができる。ノード１０４ａ〜１０４ｇは、複数のアクセス端末（ＡＴ）１０６ａ〜１０６ｌと対話することができる。
【００２０】
ＡＴ１０６ａ〜１０６ｌの各々は、所与の瞬間に順方向リンク（「ＦＬ」）および／または逆方向リンク（「ＲＬ」）上で１つまたは複数のノード１０４ａ〜１０４ｇと通信することができる。ＦＬは、ノードからＡＴへの通信リンクである。ＲＬは、ＡＴからノードへの通信リンクである。ノード１０４ａ〜１０４ｇは、たとえば、適切なワイヤードまたはワイヤレスインターフェースによって相互接続でき、互いに通信することが可能である。したがって、ＡＴ１０６ａ〜１０６ｌの各々は、１つまたは複数のノード１０４ａ〜１０４ｇを通してＡＴ１０６ａ〜１０６ｌのうちの別の１つと通信することができる。たとえば、ＡＴ１０６ｊは、次のようにＡＴ１０６ｈと通信することができる。ＡＴ１０６ｊがノード１０４ｄと通信することができる。次いで、ノード１０４ｄはノード１０４ｂと通信することができる。次いで、ノード１０４ｂはＡＴ１０６ｈと通信することができる。したがって、ＡＴ１０６ｊとＡＴ１０６ｈとの間に通信が確立される。
【００２１】
ワイヤレス通信ネットワーク１００は広い地理的領域にわたってサービスを提供することができる。たとえば、セル１０２ａ〜１０２ｇは、近傍内の数ブロックまたは地方環境における数平方マイルのみをカバーすることがある。一実施形態では、各セルは、１つまたは複数のセクタ（図示せず）にさらに分割できる。
【００２２】
上述のように、ノード（たとえば、１０４ａ）は、そのカバレッジエリア内で、たとえばインターネットまたはセルラーネットワークなどの通信ネットワークへのアクセスをアクセス端末（ＡＴ）（たとえば、ＡＴ１０６ａ）に与えることができる。
【００２３】
ＡＴ（たとえば、１０６ａ）は、通信ネットワークを介してボイスまたはデータを送信および受信するためにユーザによって使用されるワイヤレス通信デバイス（たとえば、携帯電話、ルータ、パーソナルコンピュータ、サーバなど）とすることができる。アクセス端末（ＡＴ）は、本明細書では、ユーザ機器（ＵＥ）、移動局（ＭＳ）、または端末デバイスと呼ばれることもある。図示のように、ＡＴ１０６ａ、１０６ｈ、および１０６ｊはルータを備える。ＡＴ１０６ｂ〜１０６ｇ、１０６ｉ、１０６ｋ、および１０６ｌは携帯電話を備える。ただし、ＡＴ１０６ａ〜１０６ｌの各々は、任意の好適な通信デバイスを備えることができる。
【００２４】
図２に、２つ以上の通信ネットワークの例示的な相互動作を示す。ＡＴ２２０が、ＡＴ２２１などの別のＡＴに情報を送信し、そこから情報を受信することが望ましいことがある。図２は、ＡＴ２２０がＡＴ２２１と通信することができる仕方を示している。図２に示すように、マクロノード２０５が、マクロエリア２３０内のアクセス端末に通信カバレッジを与えることができる。たとえば、ＡＴ２２０は、メッセージを生成し、それをマクロノード２０５に送信することができる。そのメッセージは、様々なタイプの通信（たとえば、ボイス、データ、マルチメディアサービスなど）に関係する情報を備えることができる。ＡＴ２２０は、ワイヤレスリンクを介してマクロノード２０５と通信することができる。ＡＴ２２０とマクロノード２０５との間のワイヤレスリンクは、ＦＬ（たとえば、基地局からアクセス端末に送信されるチャネルおよび／またはワイヤレス信号）と、ＲＬ（たとえば、アクセス端末から基地局に送信されるチャネルおよび／またはワイヤレス信号）とを備えることができる。
【００２５】
また、マクロノード２０５は、通信ネットワーク２５０中で動作するモバイル交換センター（ＭＳＣ）２５２などのＭＳＣと通信することができる。たとえば、マクロノード２０５は、ＡＴ２２０から受信されたメッセージをＭＳＣ２５２に送信することができる。一般に、ＭＳＣ２５２は、最初に、マクロノード２０５を介してＡＴ２２０から受信されたメッセージを受信することによってＡＴ２２０とＡＴ２２１との間の通信を容易にすることができる。次いで、ＭＳＣ２５２は、フェムトノードを介して最終的にＡＴ２２１に送信するために、そのメッセージをフェムトコンバージェンスサーバ（ＦＣＳ）２５４などのＦＣＳに送信することができる。ＦＣＳはまた、マクロフェムトインターネットワーキング機能（ＭＦＩＦ）、ＭＳＣ／ＭＳＣｅおよび／またはフェムトスイッチとも呼ばれることがある。マクロノード２０５とＭＳＣ２５２はワイヤードリンクを介して通信することができる。たとえば、直接ワイヤードリンクは光ファイバまたはイーサネット（登録商標）リンクを備えることができる。マクロノード２０５およびＭＳＣ２５２は、共同設置してもよく、異なるロケーションに展開してもよい。
【００２６】
また、ＭＳＣ２５２は、フェムトコンバージェンスサーバ（ＦＣＳ）２５４と通信することができる。一般に、ＦＣＳ２５４は、最初に、マクロノード２０５およびＭＳＣ２５２を介してＡＴ２２０からメッセージを受信することによってＡＴ２２０とＡＴ２２１との間の通信を容易にすることができる。次いで、ＦＣＳ２５４は、ＡＴ２２１に送信するために、そのメッセージをフェムトノードにルーティングすることができる。ＭＳＣ２５２およびＦＣＳ２５４は、上述のように直接ワイヤードリンクを介して通信することができる。ＭＳＣ２５２およびＦＣＳ２５４は、共同設置してもよく、異なるロケーションに展開してもよい。
【００２７】
また、ＦＣＳ２５４は、ネットワーク２４０（および／または別の適切なワイドエリアネットワーク）と通信することができる。一般に、ネットワーク２４０は、最初に、マクロノード２０５、ＭＳＣ２５２、およびＦＣＳ２５４を介してＡＴ２２０からメッセージを受信することによってＡＴ２２０とＡＴ２２１との間の通信を容易にすることができる。次いで、ネットワーク２４０は、ＡＴ２２１に送信するために、そのメッセージをフェムトノード２１２などのフェムトノードに送信することができる。ＦＣＳ２５４は、上述のように、ワイヤードまたはワイヤレスリンクを介してネットワーク２４０と通信することができる。
【００２８】
また、ネットワーク２４０は、フェムトノード２１０、２１２などのフェムトノードと通信することができる。フェムトノード２１２は、フェムトエリア２１７内でＡＴ２２０への通信カバレッジを与えることによって、ＡＴ２２０とＡＴ２２１との間の通信を容易にすることができる。たとえば、フェムトノード２１２は、ＡＴ２２０において発生するメッセージを、マクロノード２０５、ＭＳＣ２５２、ＦＣＳ２５４、およびネットワーク２４０を介して受信することができる。次いで、フェムトノード２１２はフェムトエリア２１７中のＡＴ２２１にそのメッセージを送信することができる。フェムトノード２１２はワイヤレスリンクを介してＡＴ２２１と通信することができる。ＡＴ２２１とフェムトノード２１２との間のワイヤレスリンクは、ＦＬ（たとえば、基地局からアクセス端末に送信されるチャネルおよび／またはワイヤレス信号）と、ＲＬ（たとえば、アクセス端末から基地局に送信されるチャネルおよび／またはワイヤレス信号）とを備えることができる。
【００２９】
上述のように、マクロノード２０５、ＭＳＣ２５２、ＦＣＳ２５４、ネットワーク２４０、およびフェムトノード２１２は、ＡＴ２２０とＡＴ２２１との間に通信リンクを形成するように相互動作することができる。たとえば、ＡＴ２２０はメッセージを生成し、それをマクロノード２０５に送信することができる。次いで、マクロノード２０５は、そのメッセージをＭＳＣ２５２に送信することができる。その後、ＭＳＣ２５２は、そのメッセージをＦＣＳ２５４に送信することができる。次いで、ＦＣＳ２５４は、そのメッセージをネットワーク２４０に送信することができる。次いで、ネットワーク２４０は、そのメッセージをフェムトノード２１２に送信することができる。次いで、フェムトノード２１２は、そのメッセージをＡＴ２２１に送信することができる。同様に、ＡＴ２２１からＡＴ２２０への逆の経路をたどることができる。
【００３０】
一実施形態では、フェムトノード２１０、２１２は、個人消費者によって展開され、家庭、アパート、オフィスビルなどの中に配置されることがある。フェムトノード２１０、２１２は、所定のセルラー伝送帯域を利用して、フェムトノード２１０、２１２の所定の範囲（たとえば、１００ｍ）内にあるＡＴと通信することができる。一実施形態では、フェムトノード２１０、２１２は、デジタル加入者回線（たとえば、非対称ＤＳＬ（ＡＤＳＬ）、高データレートＤＳＬ（ＨＤＳＬ）、超高速ＤＳＬ（ＶＤＳＬ）などを含むＤＳＬ）、インターネットプロトコル（ＩＰ）トラフィックを搬送するＴＶケーブル、電力線を介したブロードバンド（ＢＰＬ）接続、または他のリンクなど、インターネットプロトコル（ＩＰ）接続を通してネットワーク２４０と通信することができる。別の実施形態では、フェムトノード２１０、２１２は直接リンクを介してＦＣＳ２５４と通信することができる。
【００３１】
ネットワーク２４０は、たとえば、以下のネットワーク、すなわち、インターネット、イントラネット、ローカルエリアネットワーク（ＬＡＮ）またはワイドエリアネットワーク（ＷＡＮ）を含むコンピュータおよび／またはデバイスの任意のタイプの電子的に接続されたグループを備えることができる。さらに、ネットワークへの接続性は、たとえば、リモートモデム、イーサネット（ＩＥＥＥ８０２．３）、トークンリング（ＩＥＥＥ８０２．５）、ファイバ分散データリンクインターフェース（Fiber Distributed Datalink Interface）（ＦＤＤＩ）非同期転送モード（ＡＴＭ）、ワイヤレスイーサネット（ＩＥＥＥ８０２．１１）、またはＢｌｕｅｔｏｏｔｈ（登録商標）（ＩＥＥＥ８０２．１５．１）とすることができる。コンピューティングデバイスは、デスクトップ、サーバ、ポータブル、ハンドヘルド、セットトップ、または他の所望の構成のタイプでもよいことに留意されたい。本明細書で使用する、ネットワーク２４０は、パブリックインターネット、インターネット内のプライベートネットワーク、インターネット内のセキュアなネットワーク、プライベートネットワーク、公衆ネットワーク、付加価値ネットワーク、イントラネットなど、ネットワーク変形体を含む。いくつかの実施形態では、ネットワーク２４０は、バーチャルプライベートネットワーク（ＶＰＮ）をも備えることができる。
【００３２】
フェムトノード２１０の事業者は、たとえば、３Ｇモバイルサービスなど、通信ネットワーク２５０（たとえば、モバイル事業者コアネットワーク）を介して提供されるモバイルサービスに加入することができる。さらに、アクセス端末２２２は、マクロ環境（たとえば、マクロエリア）と、より小さいスケールの（たとえば、住居、フェムトエリア、ピコエリアなど）ネットワーク環境との両方で動作することが可能であることがある。言い換えれば、アクセス端末２２２の現在のロケーションに応じて、アクセス端末２２２は、マクロノード２０５によって、またはフェムトノードのセットのうちのいずれか１つ（たとえば、フェムトノード２１０、２１２）によって、通信ネットワーク２５０にアクセスすることができる。たとえば、加入者は、自宅の外にいるときはマクロノード（たとえば、ノード２０５）によってサービスされ、自宅にいるときはフェムトノード（たとえば、ノード２１０）によってサービスされる。フェムトノード２１０は既存のアクセス端末２２２と後方互換性（backward compatible）があるものとすることができることをさらに了解されたい。
【００３３】
フェムトノード２１０は、単一の周波数を介して、または、代替として、複数の周波数を介して通信することができる。特定の構成に応じて、単一の周波数、あるいは複数の周波数のうちの１つまたは複数は、マクロノード（たとえば、ノード２０５）および／または別のフェムトノード（たとえば、フェムトノード２１２）によって使用される１つまたは複数の周波数と重複することがある。
【００３４】
一実施形態では、アクセス端末２２２は、特定の（たとえば、好適な）フェムトノード（たとえば、アクセス端末２２２のホームフェムトノード）の通信範囲内にあるときはいつでもそのフェムトノードに接続するように構成できる。たとえば、アクセス端末２２２は、フェムトエリア２１５内にあるとき、フェムトノード２１０のみと通信することができる。
【００３５】
別の実施形態では、アクセス端末２２１は、ノードと通信しているが、（たとえば、好適ローミングリストにおいて定義された）好適なノードとは通信していない。本実施形態では、アクセス端末２２１は、ベターシステムリセレクション（Better System Reselection）（「ＢＳＲ」）を使用して、好適なノード（たとえば、好適なフェムトノード２１０）を探索し続けることができる。ＢＳＲは、より良いシステムが現在利用可能であるかどうかを判断するための、利用可能なシステムの周期的走査を備える方法を備えることができる。ＢＳＲは、利用可能な好適なシステムに関連付けようと試みることをさらに備えることができる。アクセス端末２２２は、ＢＳＲを、１つまたは複数の特定の帯域および／またはチャネルにわたる走査に限定することができる。好適なフェムトノード（たとえば、フェムトノード２１０）を発見すると、アクセス端末２２２は、フェムトエリア２１５内で通信ネットワーク２５０にアクセスするために通信するためのフェムトノード２１０を選択する。
【００３６】
一実施形態では、ノードは、いくつかのサービスをいくつかのアクセス端末のみに提供することができる。そのようなノードは「制限された」または「限定」ノードと呼ばれることがある。制限されたフェムトノードを備えるワイヤレス通信ネットワークでは、マクロノードと、フェムトノード（たとえば、フェムトノード２１０）の定義されたセットとによってのみ、所与のアクセス端末にサービスすることができる。他の実装形態では、ノードは、シグナリング、データアクセス、登録、ページング、またはサービスのうちの少なくとも１つを提供しないように制限できる。
【００３７】
一実施形態では、（限定加入者グループホームノードＢと呼ばれることもある）制限されたフェムトノードは、アクセス端末の制限されたプロビジョニングされたセットにサービスを提供するノードである。このセットは、必要に応じて、追加のまたはより少ないアクセス端末を含むように、一時的にまたは恒久的に変更できる。いくつかの態様では、限定加入者グループ（「ＣＳＧ」）は、アクセス端末の共通のアクセス制御リスト（たとえば、アクセス端末の制限されたプロビジョニングされたセットのリスト）を共有するアクセスノード（たとえば、フェムトノード）のセットとして定義できる。領域中のすべてのフェムトノード（またはすべての制限されたフェムトノード）が動作するチャネルをフェムトチャネルと呼ぶことがある。
【００３８】
したがって、所与のフェムトノードと所与のアクセス端末との間には様々な関係が存在する。たとえば、アクセス端末の観点から、開いたフェムトノードは、制限された関連付けをもたないフェムトノードを指す。制限されたフェムトノードは、何らかの形で限定および／または制限された（たとえば、関連付けおよび／または登録について制限された）フェムトノードを指す。ホームフェムトノードは、アクセス端末がアクセスし、その上で動作することを許可されるフェムトノードを指す。ゲストフェムトノードは、アクセス端末がアクセスし、またはその上で動作することを一時的に許可されるフェムトノードを指す。外来フェムトノードは、おそらく非常事態（たとえば、９１１番）を除いて、アクセス端末がアクセスし、またはその上で動作することを許可されないフェムトノードを指す。
【００３９】
制限されたフェムトノードの観点から、ホームアクセス端末は、制限されたフェムトノードへのアクセスを許可されるアクセス端末を指す。ゲストアクセス端末は、制限されたフェムトノードへの一時的アクセスをもつアクセス端末を指す。外来アクセス端末は、おそらく９１１番などの非常事態を除いて、制限されたフェムトノードにアクセスするための許可を有しないアクセス端末を指す。
【００４０】
便宜のために、本明細書の開示では、フェムトノードに関係する様々な機能について説明する。ただし、ピコノードは、同じまたは同様の機能をより大きいカバレッジエリアに与えることができることを諒解されたい。たとえば、所与のアクセス端末に対して、ピコノードを制限すること、ホームピコノードを定義することなどが可能である。
【００４１】
ワイヤレス多元接続通信システムは、複数のワイヤレスアクセス端末のための通信を同時にサポートすることができる。上述のように、各アクセス端末は、順方向リンクおよび逆方向リンク上の送信を介して１つまたは複数のノードと通信することができる。順方向リンク（またはダウンリンク）は、ノードからアクセス端末への通信リンクを指し、逆方向リンク（またはアップリンク）は、アクセス端末からノードへの通信リンクを指す。この通信リンクは、単入力単出力システム、多入力多出力（「ＭＩＭＯ」）システム、または何らかの他のタイプのシステムを介して確立できる。
【００４２】
ＭＩＭＯシステムは、データ送信のために複数（ＮＴ個）の送信アンテナと複数（ＮＲ個）の受信アンテナとを採用する。ＮＴ個の送信アンテナとＮＲ個の受信アンテナとによって形成されるＭＩＭＯチャネルは、空間チャネルと呼ばれることもあるＮＳ個の独立チャネルを備えることができ、ここで、ＮＳ≦ｍｉｎ｛ＮＴ，ＮＲ｝である。ＮＳ個の独立チャネルの各々は１つの次元に対応する。複数の送信アンテナおよび受信アンテナによって生成された追加の次元数が利用された場合、ＭＩＭＯシステムは改善されたパフォーマンス（たとえば、より高いスループットおよび／またはより大きい信頼性）を与えることができる。
【００４３】
ＭＩＭＯシステムは時分割複信（「ＴＤＤ」）および周波数分割複信（「ＦＤＤ」）をサポートすることができる。ＴＤＤシステムでは、順方向および逆方向リンク送信が同一周波数領域上で行われるので、相反定理による逆方向リンクチャネルからの順方向リンクチャネルの推定が可能である。これにより、複数のアンテナがデバイス（たとえば、ノード、アクセス端末など）において利用可能であるとき、そのデバイスは順方向リンク上で送信ビームフォーミング利得を抽出することが可能になる。
【００４４】
本明細書の教示は、少なくとも１つの他のデバイス（たとえば、ノード、アクセス端末など）と通信するための様々な構成要素を採用するデバイスに組み込むことができる。
【００４５】
上述のように、複数のフェムトノード２１０、２１２が、マクロエリア２３０内に展開されることがある。マクロエリア２３０中での複数のフェムトノード２１０、２１２の展開により、マクロノード２０５からフェムトノード２１０に呼をハンドオフするプロセスを改善することが望ましくなることがある。たとえば、ＡＴ２２２は、マクロノード２０５と通信することによって呼を開始することができる。ＡＴ２２２は、ＦＬ（たとえば、基地局からアクセス端末に送信されるチャネルおよび／またはワイヤレス信号）と、ＲＬ（たとえば、アクセス端末から基地局に送信されるチャネルおよび／またはワイヤレス信号）とを使用してマクロノード２０５と通信することができる。しかしながら、ＡＴ２２２がその呼中に移動すると、マクロノード２０５がその呼をフェムトノード２１０にハンドオフすることが有利であることがある。さらに、ＡＴ２２２によって送信されたワイヤレス信号は、フェムトノード２１０および２１２によって受信できる。たとえば、ＡＴ２２２は、ワイヤレス信号をマクロノード２０５に送信しており、フェムトノード２１０および２１２は、ＡＴ２２２から送信されたワイヤレス信号を受信するためにレンジ内にあり得る。したがって、フェムトノード２１０および２１２が、ＡＴ２２２から送信されたワイヤレス信号を受信および／または処理するとき、ＡＴ２２２は、フェムトノード２１０とのＲＬと、フェムトノード２１２とのＲＬとを形成することができる。一実施形態では、ＡＴ２２２がフェムトノード２１０および２１２との呼中にないので、ＡＴ２２２はフェムトノード２１０および２１２とのＦＬを形成しない。
【００４６】
一例では、フェムトノード２１０は、マクロノード２０５によって与えられるカバレッジが劣化し始める、マクロエリア２３０のエッジに配置されることがある。しかしながら、同じエリアにおいて、フェムトエリア２１５中のフェムトノード２１０によって与えられるカバレッジが強いことがある。したがって、マクロノード２０５がＡＴ２２２をフェムトノード２１０にハンドオフすることが望ましいことがある。カバレッジの劣化を緩和することに加えて、他の理由で、マクロノード２０５がＡＴ２２２をフェムトノード２１０にハンドオフすることが望ましいことがある。たとえば、マクロノード２０５は、多数のＡＴに通信カバレッジを与えることができる。ＡＴをフェムトノードにハンドオフすることによってＡＴ通信トラフィックの一部をマクロノード２０５からオフロードすることが、全体的なシステムパフォーマンスにとって有益であることがある。いずれの場合も、フェムトノード２１２および他のフェムトノードが存在することがあるので、マクロノード２０５からハンドオフするプロセスでは、フェムトノード２１０、２１２のうちのどちらが、意図されたハンドインターゲットであるかを識別することが必要になることがある。マクロエリア２３０内で追加のフェムトノードを展開するとき、ハンドインプロセス中にフェムトノードを識別する仕方を改善することが望ましいことがある。
【００４７】
一実施形態では、フェムトノード２１０および／またはマクロノード２０５はパイロット信号をブロードキャストすることができる。パイロット信号は、ＡＴ（たとえば、ＡＴ２２２）においてフェムトノード２１０および／またはマクロノード２０５から受信された信号の強度を判断するための既知の信号を備えることができる。実際の受信したパイロット信号は、信号品質を判断するために、ＡＴ２２２において基準信号と比較することができる。たとえば、基準信号は、実際の受信したパイロット信号を比較する際に使用する波形またはウェーブシーケンスとすることができる。フェムトノード２１０および／またはマクロノード２０５から受信された信号の強度は、Ｅcp／Ｉo比（パイロット信号エネルギー対総受信信号エネルギー比）または信号対雑音比を備えることができる。また、パイロット信号はオフセット擬似雑音（ＰＮ）ショートコードを備えることができる。オフセットＰＮショートコードは、ノードおよび／またはノードタイプ（たとえば、フェムトノード、マクロノード、ピコノード）を識別するコードまたは数字のシーケンスを備えることができる。オフセットＰＮショートコードは、ＰＮオフセットが適用されたＰＮショートコードを備えることができる。ＰＮオフセットは、ＰＮショートコードに適用される、真のネットワーク同期時間からの遅延を示すことができる。一実施形態では、ノードのすべてが、同じＰＮショートコードを使用することがある。ただし、ノードによって、そのＰＮショートコードに異なるＰＮオフセットを適用することがある。したがって、ＰＮオフセットはオフセットＰＮショートコードに直接相関し、「ＰＮオフセット」および「オフセットＰＮショートコード」という用語は、本明細書では互換的に使用できる。一実施形態では、ＰＮオフセットは、パイロット信号を送信するノードのタイプ（たとえば、フェムトノード、マクロノード、ピコノード）を識別するために使用できる。たとえば、フェムトノードを識別するためにＰＮオフセットの特定のセットを予約することができる。しかしながら、使用できるＰＮオフセットの数が、マクロエリア２３０内のフェムトノードの数よりも少ないことがある。たとえば、フェムトノードが使用するための８つの一意のＰＮオフセットをとっておくことができる。しかしながら、８つを超えるフェムトノードがマクロエリア２３０内に展開されることがある。その結果、マクロエリア２３０内の複数のフェムトノードが、同じＰＮオフセットを使用することがある。
【００４８】
一例では、マクロノード２０５などのマクロノードと通信している、ＡＴ２２２などのＡＴは、フェムトノード２１０などのフェムトノードからパイロット信号を受信することができる。ＡＴ２２２は、パイロット信号からＰＮオフセットおよび信号強度を判断し、これらの値をマクロノード２０５に報告するように構成できる。受信信号強度およびＰＮオフセットに基づいて、マクロノード２０５は、フェムトノード２１０へのハンドオフが行われるべきであることを判断することができる。たとえば、マクロノード２０５とＡＴ２２２との間の信号の強度、雑音レベル、信号対雑音比、最大データレート、スループット、誤り率、および／または他のハンドオフ基準により、ＡＴ２２２をフェムトノード２１０にハンドインすることが正当化されることを、マクロノード２０５は判断することができる。しかしながら、フェムトノード２１０によって使用されるＰＮオフセットは一意でないことがあるので、ＡＴ２２２からマクロノード２０５に送信された情報は、フェムトノード２１０を一意に識別するには不十分であることがある。たとえば、フェムトノード２１２は、フェムトノード２１０と同じＰＮオフセットを使用することがある。
【００４９】
上記の例についてはＰＮオフセットに関して説明したが、そのような例は説明のために使用したものであり、限定的なものとして解釈すべきではない。本システムおよび方法は、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）およびＬｏｎｇ  Ｔｅｒｍ  Ｅｖｏｌｕｔｉｏｎ（ＬＴＥ）などの他の通信規格に等しく適用可能である。たとえば、ＵＭＴＳシステムでは、フェムトノードによって使用されるスクランブリングコード（ＳＣ）が、フェムトノードを一意に識別するには不十分であり得る識別子として働くことがある。同様に、ＬＴＥシステムでは、フェムトノードによって使用される物理セル識別子が、フェムトノードを一意に識別するには不十分であり得る識別子として働くことがある。各場合において、フェムトノードを一意に識別するために追加情報が必要になることがある。
【００５０】
ＡＴ２２２をマクロノード２０５からフェムトノード２１０にハンドインすることを可能にするために、ＦＣＳ２５４は、フェムトノード２１０および２１２から得られたデータを使用して、ＡＴ２２２がフェムトノード２１０および２１２のうちのどちらにハンドインすべきかを判断することができる。図２に示すように、フェムトノード２１０および２１２は、ＡＴ２２２から信号を受信することができる。一実施形態では、ＦＣＳ２５４は、フェムトノード２１０および２１２に、ＡＴ２２２とのそれらのそれぞれのＲＬ上で測定を実行するように命令するメッセージを、フェムトノード２１０および２１２の各々に送信することができる。たとえば、ＦＣＳは、フェムトノード２１０に、フェムトノード２１０がＡＴ２２２とのＲＬ上で受信するエネルギー量を測定するように命令するメッセージを、ネットワーク２４０を介してフェムトノード２１０に送信することができる。フェムトノード２１０がＡＴ２２２からＲＬ上で受信するエネルギー量（たとえば、Ｅcp,@femto1）は、以下の式を使用して計算できる。
【数１】
0005474997.tif 000002
【００５１】
上式で、ＰｉｌＰｗｒMATは、ＡＴ２２２によって送信された信号の電力であり、ＰＬ1は、フェムトノード２１０とＡＴ２２２との間の経路損失（たとえば、信号がある距離を進むときの電力の損失）の量である。一実施形態では、ＰｉｌＰｗｒMATおよびＰＬ1のうちの少なくとも１つは、デシベル（ｄＢ）で考えることができる。ＦＣＳはまた、フェムトノード２１２にフェムトノード２１２がＡＴ２２２とのＲＬ上で受信するエネルギー量を測定するように命令するメッセージを、ネットワーク２４０を介してフェムトノード２１２に送信することができる。フェムトノード２１２がＡＴ２２２からＲＬ上で受信するエネルギー量（たとえば、Ｅcp,@femto2）は、以下の式を使用して計算できる。
【数２】
0005474997.tif 000003
【００５２】
上式で、ＰｉｌＰｗｒMATは、ＡＴ２２２によって送信された信号の電力であり、ＰＬ2は、フェムトノード２１２とＡＴ２２２との間の経路損失（たとえば、信号がある距離を進むときの電力の損失）の量である。一実施形態では、ＰｉｌＰｗｒMATおよびＰＬ2のうちの少なくとも１つは、デシベル（ｄＢ）で考えることができる。
【００５３】
一実施形態では、フェムトノード２１０は、フェムトノード２１０がＡＴ２２２からＲＬ上で指定された時間期間にわたって受信するエネルギー量（たとえば、Ｅcp,@femto1）を測定し得る。たとえば、フェムトノード２１０は、２秒の持続時間（duration）にわたってＥcp,@femto1を測定し得る。別の例では、フェムトノード２１０は、５００ミリ秒の持続時間にわたってＥcp,@femto1を測定し得る。別の実施形態では、フェムトノード２１０は、Ｅcp,@femto1を周期的に測定し、各測定をある時間期間の間実行することができる。たとえば、フェムトノード２１０は、２秒ごとに１回、１秒の期間の間、Ｅcp,@femto1を測定し得る。別の例では、フェムトノード２１０は、８００ミリ秒ごとに１回、２００ミリ秒の間、Ｅcp,@femto1を測定し得る。フェムトノード２１２は、フェムトノード２１０に関連して上記で説明したように、Ｅcp,@femto2を同様に測定し得る。
【００５４】
別の実施形態では、複数のフェムトノード（たとえば、フェムトノード２１０および２１２）がそれぞれ、それぞれのフェムトノードがＡＴ２２２からＲＬ上で受信するエネルギー量を測定していることがある。複数のフェムトノードの各々は、異なる時間に、または異なる期間に従って、測定を実行し得る。ＡＴ２２２が時間とともに位置を移動するにつれて、複数のフェムトノードによってＡＴ２２２から受信されるエネルギー量は変化し得る。たとえば、ＡＴ２２２は、フェムトノード２１２からさらに遠ざかり、フェムトノード２１０に近づくことがある。フェムトノードによって実行される測定間の時間の差は、不正確な測定値を生じることがある。たとえば、フェムトノード２１０が、第１の時点において、ＡＴ２２２から−５０ｄＢのエネルギーを測定する場合を考える。その場合、第２の時点において、ＡＴ２２２は、フェムトノード２１２に近づき、フェムトノード２１０から遠ざかることがある。第２の時点において、フェムトノード２１２は、ＡＴ２２２から−５５ｄＢのエネルギーを測定し得る。しかしながら、ＡＴ２２２がフェムトノード２１０から遠ざかったので、第２の時点においてフェムトノード２１０によって受信されるエネルギー量は−６０ｄＢである。しかし、第２の時点において、フェムトノード２１０による測定は実行されない。したがって、ＦＣＳ２５４は、フェムトノード２１０から−５０ｄＢの第１の測定値を受信し、フェムトノード２１２から−５５ｄＢの第２の測定値を受信することができるが、これらの測定値は時間とともに変化し得る。したがって、ＦＣＳ２５４は、複数のフェムトノードの各々が測定を行った持続時間および／または時間を知ることが望ましいことがある。
【００５５】
一実施形態では、ＦＣＳ２５４は、複数のフェムトノード（たとえば、フェムトノード２１０および２１２）の各々に、その複数のフェムトノードがその時にまたはその間に測定を実行すべき特定の時間、持続時間および／または周期的間隔（periodic intervals）を通知することができる。たとえば、ＦＣＳ２５４は、複数のフェムトノード（たとえば、フェムトノード２１０および２１２）に、第１の時点において１秒間測定を実行することを通知することができる。別の例では、ＦＣＳ２５４は、複数のフェムトノードに、第２の時点から開始して５００ミリ秒ごとに、２００ミリ秒間測定を実行することを通知することができる。別の実施形態では、フェムトノードは、ＦＣＳ２５４に、フェムトノードによって行われた測定の特定の時間、持続時間および／または周期的間隔を通知することができる。たとえば、フェムトノード２１０は、ＦＣＳ２５４に、フェムトノード２１０が１回目に５００ミリ秒持続する第１の測定を行い、２回目に２００ミリ秒持続する第２の測定を行ったことを通知することができる。ＦＣＳ２５４は、フェムトノード（たとえば、フェムトノード２１０および２１２）によって与えられた時間、持続時間および／または周期的間隔を使用して、フェムトノードによって実行された測定が正確であるかどうかを判断することができる。
【００５６】
一実施形態では、測定を実行するときに、フェムトノード（たとえば、フェムトノード２１０および２１２）は測定を連続的に実行することができる。別の実施形態では、フェムトノードは、複数の持続時間にわたってサンプルをとることによって測定を実行することができる。一実施形態では、フェムトノードが要する測定の測定時間は、フェムトノードとＡＴ２２２との間のＲＬ上で発生することがある高速フェージング（たとえば、信号のエネルギーの降下）を除去および／または平均化するのに十分に長くすることができる。
【００５７】
一実施形態では、フェムトノード２１０は値Ｅcp,@femto1をＦＣＳ２５４に送信し、フェムトノード２１２は値Ｅcp,@femto2をＦＣＳ２５４に送信することができる。ＡＴ２２２によって送信された信号の電力（たとえば、ＰｉｌＰｗｒMAT）は式（１）および式（２）において同じ値であることがあるが、ＰｉｌＰｗｒMATの実効値はフェムトノード２１０および２１２によって知られていないことがある。ＦＣＳ２５４は、フェムトノード２１０および２１２から受信された値Ｅcp,@femto1とＥcp,@femto2とを使用して、フェムトノード２１０が受けた経路損失（たとえば、ＰＬ1）とフェムトノード２１２が受けた経路損失（たとえば、ＰＬ2）との間の差を判断することができる。フェムトノード２１０が受けた経路損失（たとえば、ＰＬ1）とフェムトノード２１２が受けた経路損失（たとえば、ＰＬ2）との間の差は、式（１）と式（２）とを結合して以下の式にすることによって計算できる。
【数３】
0005474997.tif 000004
【００５８】
したがって、フェムトノード２１０とフェムトノード２１２とが受けた経路損失の差は、Ｅcp,@femto1からＥcp,@femto2を減算することによって計算できる。式（３）に示すように、Ｅcp,@femto1からＥcp,@femto2を減算することは、ＰＬ2−ＰＬ1に等しい。
【００５９】
一実施形態では、ＦＣＳ２５４は、信号対干渉比（たとえば、ＳＩＲまたはＥcp／Ｉ0）に関してＡＴ２２２にとって最良のＦＬをもつフェムトノードを選択することができる。信号対干渉比またはＥcp／Ｉ0は、ノードから受信されるエネルギー量（たとえば、フェムトノード２１０から受信されるＥcp,femto1、またはフェムトノード２１２から受信されるＥcp,femto2）と受信されるエネルギー総量（たとえば、Ｉo）との比である。受信されるエネルギーの総量（Ｉ0）は、他の送信機から受信されるエネルギー（たとえば、干渉）および雑音などのものを含み得る。第１のリンクのＥcp／Ｉ0比が第２のリンクのＥcp／Ｉ0比よりも高い場合、これは、データを送信および／または受信するために使用するために、第１のリンクが第２のリンクよりも良好なリンクであることを示し得る。たとえば、フェムトノード２１０とＡＴ２２２との間のＦＬのＥcp／Ｉ0比が、フェムトノード２１２とＡＴ２２２との間のＦＬのＥcp／Ｉ0比よりも高い場合、これは、フェムトノード２１０からＡＴ２２２によって受信されるエネルギー量（たとえば、Ｅcp,femto1）が、フェムトノード２１２からＡＴ２２２によって受信されるエネルギー量（たとえば、Ｅcp,femto2）よりも高いことを示す。一実施形態では、ハンドインターゲットであるフェムトノードを識別するために、ＡＴ２２２において最高の対応するＥｃｐ／Ｉｏ測定値をもつフェムトノードを識別する必要がある。
【００６０】
一実施形態では、フェムトノード２１０とＡＴ２２２との間の信号対干渉比は、ｄＢ領域における以下の式を使用して計算できる。
【数４】
0005474997.tif 000005
【００６１】
上式で、ＴｘＰｉｌＰｗｒfemto1は、フェムトノード２１０によって送信されたパイロット信号の電力であり、ＰＬ1bは、フェムトノード２１０とＡＴ２２２との間のＦＬ上の経路損失の量である。フェムトノード２１０は、フェムトノード２１０が送信しているパイロット信号の電力（たとえば、ＴｘＰｉｌＰｗｒfemto1）をＦＣＳ２５４に与えることができる。フェムトノード２１０は、ネットワーク２４０を通って送信されるメッセージを介して、この情報をＦＣＳ２５４に送信することができる。フェムトノード２１２とＡＴ２２２との間の信号対干渉比は、ｄＢ領域における以下の式を使用して計算できる。
【数５】
0005474997.tif 000006
【００６２】
上式で、ＴｘＰｉｌＰｗｒfemto2は、フェムトノード２１２によって送信された信号のパイロット電力であり、ＰＬ2bは、フェムトノード２１２とＡＴ２２２との間のＦＬ上の経路損失の量である。フェムトノード２１２は、フェムトノード２１２が送信しているパイロット信号の電力（たとえば、ＴｘＰｉｌＰｗｒfemto2）をＦＣＳ２５４に与えることができる。フェムトノード２１２は、ネットワーク２４０を通って送信されるメッセージを介して、この情報をＦＣＳ２５４に送信することができる。ｄＢ領域において、信号対干渉比は、式（４）および式（５）に示すような減算として示されることに留意されたい。
【００６３】
ＡＴ２２２によって特定のＦＬキャリア上で受信されたエネルギー総量（たとえば、Ｉ0）が他のＦＬと同じであるので、項Ｉ0は、式（４）および式（５）から除去でき、式（４）と式（５）を結合して以下の式にすることができる。
【数６】
0005474997.tif 000007
【００６４】
上記の式（６）が正値である場合、これは、第１のフェムトノード２２０がＡＴ２２２においてより高いＥｃｐ／Ｉｏ測定値を有し、実際のハンドインターゲットノードであることを意味する。一実施形態では、フェムトノード２１０とＡＴ２２２との間のＦＬと、フェムトノード２１２とＡＴ２２２との間のＦＬとの経路損失の差は、ＰＬ2−ＰＬ1として計算できる。フェムトノード２１０とＡＴ２２２との間のＦＬと、フェムトノード２１２とＡＴ２２２との間のＦＬとの経路損失の差（たとえば、ＰＬ2−ＰＬ1）は、既知でないことがある。一実施形態では、ＦＣＳ２５４は、式（３）（たとえば、ＰＬ2−ＰＬ1）に示す、フェムトノード２１０および２１２とＡＴ２２２との間のＲＬ上の経路損失の差を使用し、式（６）において、値ＰＬ2−ＰＬ1で値ＰＬ2b−ＰＬ1bを置換することができる。フェムトノード２１０および２１２とＡＴ２２２との間のＲＬ上の経路損失の量は、フェムトノード２１０および２１２とＡＴ２２２との間のＦＬ上の経路損失の量と同様とすることができる。ＰＬ2−ＰＬ1でＰＬ2b−ＰＬ1bを置換すると、以下の式になる。
【数７】
0005474997.tif 000008
【００６５】
式（３）に示すように、ＰＬ2−ＰＬ1は、Ｅcp,@femto1−Ｅcp,@femto2に等しく、Ｅcp,@femto1−Ｅcp,@femto2で項ＰＬ2−ＰＬ1を置換することができる。Ｅcp,@femto1−Ｅcp,@femto2でＰＬ2−ＰＬ1を置換すると、以下の式になる。
【数８】
0005474997.tif 000009
【００６６】
式８は、フェムトノードの送信パイロット電力（たとえば、ＴｘＰｉｌＰｗｒfemto1）とＡＴからフェムトノードによって受信されたエネルギー（たとえば、Ｅcp,@femto1）との和が、フェムトセル（たとえば、フェムトノード２１０）からのＦＬ信号強度（たとえば、Ｅcp,femto1）に等価なメトリックになり得ることを示す。上の式７および式８に示すように、異なるフェムトセルからのＦＬのＥcpの差が、送信パイロット電力とＲＬのＥcpとの和の差と等価であるので、これは真である。
【００６７】
上記で説明したように、フェムトノード２１０は、ＴｘＰｉｌＰｗｒfemto1とＥcp,@femto1との値をＦＣＳ２５４に与えることができる。また、上記で説明したように、フェムトノード２１２は、ＴｘＰｉｌＰｗｒfemto2とＥcp,@femto2との値をＦＣＳ２５４に与えることができる。フェムトノード２１０および２１２によって与えられた上記の値の和をランク付けすることによって、ＦＣＳ２５４は、フェムトノード２１０からＡＴ２２２によって受信されたエネルギー量（たとえば、Ｅcp,femto1）と、フェムトノード２１２からＡＴ２２２によって受信されたエネルギー量（たとえば、Ｅcp,femto2）とを比較することができる。フェムトノード２１０からＡＴ２２２によって受信されたエネルギー量（たとえば、Ｅcp,femto1）と、フェムトノード２１２からＡＴ２２２によって受信されたエネルギー量（たとえば、Ｅcp,femto2）との間で、どちらがより大きいかに応じて、ＦＣＳ２５４は、ＡＴ２２２がフェムトノード２１０および２１２のうちのどちらにハンドインすべきかを判断することができる。たとえば、Ｅcp,femto1−Ｅcp,femto2の値が正数である場合、Ｅcp,femto1はＥcp,femto2よりも高い値であり、これは、フェムトノード２１０が、ＡＴ２２２とのフェムトノード２１２よりも強いＦＬを有することを示す。したがって、フェムトノード２１０がハンドインターゲットになり得る。別の例では、Ｅcp,femto1−Ｅcp,femto2の値が負数である場合、Ｅcp,femto2はＥcp,femto1よりも高い値であり、これは、フェムトノード２１２が、ＡＴ２２２とのフェムトノード２１０よりも強いＦＬを有することを示す。したがって、フェムトノード２１２がハンドインターゲットになり得る。
【００６８】
一実施形態では、フェムトノード２１０は、フェムトノード２１０の構成要素中の較正問題のために不正確な測定を実行することがある。フェムトノードは、この不正確さを補償するために、フェムトノード２１０から、ＡＴ２２２によって受信されたエネルギー量（たとえば、Ｅcp,femto1）に「重み」値を適用することができる。たとえば、フェムトノード２１０は、Ｅcp,femto1をＴｘＰｉｌＰｗｒfemto1と加算する前に、Ｅcp,femto1に重み０．８を適用する（たとえば、Ｅcp,femto1の値に０．８を乗算する）ことができる。別の実施形態では、様々な重みを値ＴｘＰｉｌＰｗｒfemto1および値Ｅcp,femto1のいずれかに使用することができる。たとえば、ＴｘＰｉｌＰｗｒfemto1に重み１．３を適用し、Ｅcp,femto1に重み０．７を適用することができる。
【００６９】
一実施形態では、フェムトノード２１０はビーコン信号を使用することができる。たとえば、フェムトノード２１０は、第１の周波数および／またはチャネル上でビーコン信号を送信することができる。しかし、フェムトノード２１０は、実際に第２の周波数および／またはチャネル上でＡＴ２２２などのデバイスと通信することができる。ビーコン信号を使用して、フェムトノード２１０を、異なる周波数および／またはチャネルを使用していることがあるより多くのＡＴ２２２などのデバイスによって検出することが可能になる。一実施形態では、フェムトノード２１０は、項ＴｘＰｉｌＰｗｒfemto1の値に対してビーコン信号の送信電力を使用することができる。別の実施形態では、フェムトノード２１０は、項ＴｘＰｉｌＰｗｒfemto1の値に対して、フェムトノード２１０がＡＴ２２２と通信するために使用する実際の周波数および／またはチャネルのパイロット信号の送信電力を使用することができる。
【００７０】
図２について、２つのフェムトノード２１０および２１２のみを使用して説明したが、任意の異なる数のフェムトノードに対して上記の式（１）〜式（８）を適用することができる。一実施形態では、ＦＣＳ２５４は、複数のフェムトノードの各々について、フェムトノードによって送信された信号の電力（たとえば、ＴｘＰｉｌＰｗｒfemto1）と、フェムトノードがＡＴ２２２からＲＬ上で受信するエネルギー量（たとえば、Ｅcp,@femto1）とを得ることができる。たとえば、ＦＣＳ２５４は、フェムトノード２１０について値ＴｘＰｉｌＰｗｒfemto1と値Ｅcp,@femto1とを得、フェムトノード２１２について値ＴｘＰｉｌＰｗｒfemto2と値Ｅcp,@femto2とを得、第３のフェムトノード（図２に図示せず）について値ＴｘＰｉｌＰｗｒfemto3と値Ｅｃｐcp,@femto3とを得ることができる。ＦＣＳ２５４は、各フェムトノードについて受信された値を結合し、各フェムトノードについてその結合値をランク付けすることができる。たとえば、ＦＣＳ２５４は、フェムトノード２１０についてＴｘＰｉｌＰｗｒfemto1とＥcp,@femto1とを加算し、フェムトノード２１２についてＴｘＰｉｌＰｗｒfemto2とＥcp,@femto2とを加算し、第３のフェムトノード（図２に図示せず）についてＴｘＰｉｌＰｗｒfemto3とＥｃｐcp,@femto3とを加算することができる。一実施形態では、これらの値の両方ともｄＢ領域中にあり得る。ＦＣＳ２５４は、結合値をある順序で（たとえば、最大から最小に、または最小から最大に）ランク付けすることができる。ＦＣＳ２５４は、最大の結合値をもつフェムトノードをハンドインターゲットとして選択することができる。たとえば、フェムトノード２１０の場合、Ｅcp,@femto1に加算されたＴｘＰｉｌＰｗｒfemto1は−１００に等しく、フェムトノード２１２の場合、Ｅcp,@femto2に加算されたＴｘＰｉｌＰｗｒfemto2は−９０に等しく、第３のフェムトノード（図２に図示せず）の場合、Ｅcp,@femto3に加算されたＴｘＰｉｌＰｗｒfemto3は−９５に等しくなり得る。結合値に基づいて、ＦＣＳ２５４は、６０が最大数であるので、結合値６０を選択することができ、ＦＣＳ２５４は、フェムトノード２１０をハンドインターゲットとして選択することができる。
【００７１】
一実施形態では、フェムトノード２１０は、値ＴｘＰｉｌＰｗｒfemto1と値Ｅcp,@femto1とを別個の値として送信することができる。たとえば、フェムトノード２１０は、少なくとも値ＴｘＰｉｌＰｗｒfemto1と値Ｅcp,@femto1とを備える測定報告（たとえば、測定情報をもつ報告）をＦＣＳ２５４に送信することができる。別の実施形態では、フェムトノード２１０は、値ＴｘＰｉｌＰｗｒfemto1と値Ｅcp,@femto1とを結合値として送信することができる。たとえば、フェムトノード２１０は、値ＴｘＰｉｌＰｗｒfemto1と値Ｅcp,@femto1とを加算して結合値ＰｗｒcombinedFemto1にすることができる。フェムトノードは、少なくとも値ＰｗｒcombinedFemto1を備える測定報告をＦＣＳ２５４に送信することができる。
【００７２】
図３に、図１に示すワイヤレス通信ネットワーク１００の例示的なカバレッジエリアを示す。カバレッジエリア３００は、ＡＴ（たとえば、図２に示すＡＴ２２０）がネットワーク（たとえば、図２に示すネットワーク２４０）にアクセスすることができる１つまたは複数の地理的エリアを備えることができる。図示のように、カバレッジエリア３００は、いくつかのトラッキングエリア３０２Ａ〜３０２Ｃ（またはルーティングエリアまたは位置登録エリア）を備える。トラッキングエリア３０２Ａ〜３０２Ｃの各々は、図２に関して上記で説明したマクロエリア２３０と同様とすることができる、３０４Ａおよび３０４Ｂなどのいくつかのマクロエリアを備える。ここで、トラッキングエリア３０２Ａ、３０２Ｂ、および３０２Ｃに関連付けられたカバレッジのエリアは太線によって輪郭を描かれて示され、３０４Ａおよび３０４Ｂなどのマクロエリアは六角形によって表されている。トラッキングエリア３０２Ａ〜３０２Ｃはまた、図２に関して上記で説明したフェムトエリア２３０と同様とすることができる、フェムトエリア３０６Ａ〜３０６Ｃなどのフェムトエリアを備えることができる。この例では、フェムトエリアの各々（たとえば、フェムトエリア３０６Ｃ）は、マクロエリア（たとえば、マクロエリア３０４Ｂ）内に示されている。しかしながら、フェムトエリア（たとえば、フェムトエリア３０６Ｃ）が完全にマクロエリア（たとえば、マクロエリア３０４Ｂ）内にあるわけではないことを諒解されたい。実際には、多数のフェムトエリア（たとえば、フェムトエリア３０６Ｃ）を所与のトラッキングエリア（たとえば、トラッキングエリア３０２Ｂ）またはマクロエリア（たとえば、マクロエリア３０４Ｂ）内に画定することができる。また、１つまたは複数のピコエリア（図示せず）を所与のトラッキングエリア（たとえば、トラッキングエリア３０２Ｂ）またはマクロエリア（たとえば、マクロエリア３０４Ｂ）内に画定することができる。
【００７３】
図４は、図２の通信ネットワークのうちの１つにおける、第１の例示的なフェムトノード４１０と第１の例示的なアクセス端末４５０との機能ブロック図である。図示のように、ＭＩＭＯシステム４００は、フェムトノード４１０とアクセス端末４５０（たとえば、ＡＴ２２２）とを備える。フェムトノード４１０では、いくつかのデータストリームのトラフィックデータが、データソース４１２から送信（「ＴＸ」）データプロセッサ４１４に供給される。
【００７４】
一実施形態では、各データストリームは、それぞれの送信アンテナを介して送信される。ＴＸデータプロセッサ４１４は、コード化データを供給するために、そのデータストリーム用に選択された特定のコーディング方式に基づいて、データストリームごとにトラフィックデータをフォーマット化し、コーディングし、インタリーブする。
【００７５】
各データストリームのコード化データは、ＯＦＤＭ技法を使用してパイロットデータで多重化できる。パイロットデータは、典型的には、知られている方法で処理され、チャネル応答を推定するために受信機システムにおいて使用できる既知のデータパターンである。次いで、各データストリームの多重化されたパイロットデータおよびコード化データは、変調シンボルを供給するために、そのデータストリーム用に選択された特定の変調方式（たとえば、ＢＰＳＫ、ＱＳＰＫ、Ｍ−ＰＳＫ、またはＭ−ＱＡＭ）に基づいて変調（すなわち、シンボルマッピング）される。各データストリームのデータレート、コーディング、および変調は、プロセッサ４３０によって実行される命令によって決定される。データメモリ４３２は、フェムトノード４１０のプロセッサ４３０または他の構成要素によって使用されるプログラムコード、データおよび他の情報を記憶する。
【００７６】
次いで、すべてのデータストリームの変調シンボルがＴＸ  ＭＩＭＯプロセッサ４２０に供給され、ＴＸ  ＭＩＭＯプロセッサ４２０はさらに（たとえば、ＯＦＤＭの場合）その変調シンボルを処理する。次いで、ＴＸ  ＭＩＭＯプロセッサ４２０は、ＮＴ個の変調シンボルストリームをＮＴ個のトランシーバ（「ＸＣＶＲ」）４２２Ａ〜４２２Ｔに供給する。いくつかの態様では、ＴＸ  ＭＩＭＯプロセッサ４２０は、データストリームのシンボルと、シンボルの送信元のアンテナとにビームフォーミング重みを適用する。
【００７７】
トランシーバ４２２Ａ〜４２２Ｔの各々は、それぞれのシンボルストリームを受信し、処理して、１つまたは複数のアナログ信号を生成し、さらに、それらのアナログ信号を調整（たとえば、増幅、フィルタ処理、およびアップコンバート）して、ＭＩＭＯチャネルを介して送信するのに適した変調信号を供給する。次いで、トランシーバ４２２Ａ〜４２２ＴからのＮＴ個の変調信号は、それぞれ、ＮＴ個のアンテナ４２４Ａ〜４２４Ｔから送信される。
【００７８】
フェムトノード４５０では、送信された変調信号はＮＲ個のアンテナ４５２Ａ〜４５２Ｒによって受信され、アンテナ４５２Ａ〜４５２Ｒの各々からの受信信号は、それぞれのトランシーバ（「ＸＣＶＲ」）４５４Ａ〜４５４Ｒに供給される。トランシーバ４５４Ａ〜４５４Ｒの各々は、それぞれの受信信号を調整（たとえば、フィルタ処理、増幅、およびダウンコンバート）し、この調整された信号をデジタル化して、サンプルを供給し、さらにそれらのサンプルを処理して、対応する「受信」シンボルストリームを供給する。
【００７９】
次いで、受信（「ＲＸ」）データプロセッサ４６０は、特定の受信機処理技法に基づいてＮＲ個のトランシーバ４５４Ａ〜４５４ＲからＮＲ個の受信シンボルストリームを受信し、処理して、ＮＴ個の「検出」シンボルストリームを供給する。次いで、ＲＸデータプロセッサ４６０は、各検出シンボルストリームを復調し、デインターリーブし、復号して、データストリームに対するトラフィックデータを回復する。ＲＸデータプロセッサ４６０によって実行される処理は、フェムトノード４１０におけるＴＸ  ＭＩＭＯプロセッサ４２０およびＴＸデータプロセッサ４１４によって実行される処理を補足するものである。
【００８０】
プロセッサ４７０は、どのプリコーディング行列（以下で説明する）を使用すべきかを周期的に判断する。プロセッサ４７０は、行列インデックス部とランク値部とを備える逆方向リンクメッセージを作成する。データメモリ４７２は、フェムトノード４５０のプロセッサ４７０または他の構成要素によって使用されるプログラムコード、データおよび他の情報を記憶する。
【００８１】
逆方向リンクメッセージは、通信リンクおよび／または受信データストリームに関する様々なタイプの情報を備えることができる。次いで、逆方向リンクメッセージはＴＸデータプロセッサ４３８によって処理される。また、ＴＸデータプロセッサ４３８は、データソース４３６からいくつかのデータストリームのトラフィックデータを受信する。変調器４８０はデータストリームを変調する。さらに、トランシーバ４５４Ａ〜４５４Ｒは、データストリームを調整し、データストリームをフェムトノード４１０に返送する。
【００８２】
フェムトノード４１０では、フェムトノード４５０からの変調信号がアンテナ４２４Ａ〜４２４Ｔによって受信される。さらに、トランシーバ４２２Ａ〜４２２Ｔは変調信号を調整する。復調器（「ＤＥＭＯＤ」）４４０は変調信号を復調する。ＲＸデータプロセッサ４４２は、復調された信号を処理し、フェムトノード４５０によって送信された逆方向リンクメッセージを抽出する。次いで、プロセッサ４３０は、ビームフォーミング重みを判断するためにどのプリコーディング行列を使用すべきかを判断する。さらに、プロセッサ４３０は、抽出されたメッセージを処理する。
【００８３】
さらに、フェムトノード４１０および／またはフェムトノード４５０は、本明細書で教示する干渉制御動作を実行する１つまたは複数の構成要素を備えることができる。たとえば、干渉（「ＩＮＴＥＲ」）制御構成要素４９０は、フェムトノード４１０のプロセッサ４３０および／または他の構成要素と協働して、本明細書で教示する別のデバイス（たとえば、フェムトノード４５０）との間で信号を送信／受信することができる。同様に、干渉制御構成要素４９２は、フェムトノード４５０のプロセッサ４７０および／または他の構成要素と協働して、別のデバイス（たとえば、フェムトノード４１０）との間で信号を送信／受信することができる。各フェムトノード４１０および４５０について、記載の構成要素の２つ以上の機能が単一の構成要素によって提供できることを諒解されたい。たとえば、単一の処理構成要素が干渉制御構成要素４９０およびプロセッサ４３０の機能を提供することができる。さらに、単一の処理構成要素が干渉制御構成要素４９２およびプロセッサ４７０の機能を提供することができる。
【００８４】
図５は、図２の通信ネットワークのうちの１つの第２の例示的なアクセス端末２２２の機能ブロック図である。図２で上記に説明したように、ＡＴ２２２は、マクロノード２０５との間で情報を通信するために使用されるモバイルフォンとすることができる。
【００８５】
ＡＴ２２２は、マクロノード２０５および／または他のデバイスからインバウンドワイヤレスメッセージおよび／またはワイヤレス信号を受信するように構成された受信モジュール５４０を備えることができる。受信モジュール５４０は、ＡＴ２２２とマクロノード２０５との間のワイヤレスリンク（たとえば、ＲＬおよびＦＬ）の状態を測定するように構成できる。一実施形態では、受信モジュール５４０は、マクロノード２０５とＡＴ２２２との間のワイヤレスリンクのデータレート、雑音、信号電力、および信号対雑音比のうちの少なくとも１つを測定することができる。別の実施形態では、受信モジュール５４０は、ワイヤレスリンクの状態（たとえば、雑音レベル、信号電力、および／または信号対雑音比）を示すデータを処理モジュール５０５に与えることができる。一実施形態では、受信モジュール５４０はまた、フェムトノード（たとえば、フェムトノード２１２）から受信された信号を測定することができる。
【００８６】
ＡＴ２２２は、受信モジュール５４０と処理モジュール５０５と記憶モジュール５１０とに結合できるチャネル推定器モジュール５２５をも備えることができる。一実施形態では、チャネル推定器モジュール５２５は、受信モジュール５４０を使用してマクロノード２０５とＡＴ２２２との間のワイヤレスリンクのデータレート、雑音、信号電力、および信号対雑音比のうちの少なくとも１つを測定することができる。別の実施形態では、チャネル推定器モジュール５２５は、ＡＴ２２２とフェムトノード２１０との間のワイヤレスリンクの状態を測定することができる。さらなる実施形態では、チャネル推定器モジュール５２５は、ワイヤレスリンクの状態を示すデータを処理モジュール５０５に与えることができる。チャネル推定器モジュール５２５は、記憶モジュール５１０にデータを記憶し、それを読み取り、アクセスするために、記憶モジュール５１０に結合できる。別の実施形態では、チャネル推定器モジュール５２５は、ＡＴ２２２とマクロノード２０５との間のワイヤレスリンク（たとえば、ＲＬおよび／またはＦＬ）の品質が劣化しており、ＡＴ２２２がハンドインすべきフェムトノード（たとえば、フェムトノード２１０）を探索すべきであると判断することができる。一実施形態では、チャネル推定器モジュール５２５は、受信モジュール５４０を使用して、フェムトノードから受信された信号を測定することができる。別の実施形態では、チャネル推定器モジュール５２５は、受信モジュール５４０によって作成された測定値を使用し、測定メッセージ（たとえば、フェムトノードの電力測定値に関する情報を含んでいるメッセージ）を発生することができる。代替的に、チャネル推定器モジュールは、処理モジュール５０５を使用して測定メッセージを発生することができる。チャネル推定器モジュール５２５はまた、測定メッセージをマクロノード２０５とＭＳＣ２５２とを介してＦＣＳ２５４に送信することができるように、測定メッセージを送信モジュール５４１に与えることができる。一実施形態では、測定メッセージは、フェムトノードに対するＰＮオフセットを備えることができるパイロット強度測定メッセージ（ＰＳＭＭ）および／またはフェムトノード（たとえば、フェムトノード２１０）に対するＦＬ信号強度（たとえば、信号対雑音比）を備えることができる。別の実施形態では、測定メッセージはまた、ＡＴ２２２のための識別子（たとえば、媒体アクセス制御（ＭＡＣ）アドレス、国際モバイル加入者識別情報（International Mobile Subscriber Identity）（ＩＭＳＩ）、および／または国際モバイル機器識別情報（international mobile equipment identity）（ＩＭＥＩ））を備えることができる。
【００８７】
送信モジュール５４１は、アウトバウンドワイヤレスメッセージおよび／またはワイヤレス信号をフェムトノード２１０および／または他のデバイスに送信するように構成できる。たとえば、送信モジュール５４１は、ＡＴ２２２とフェムトノード２１０との間のワイヤレスリンクを確立するために、アクセスプローブ（たとえば、フェムトノードへのアクセスが許可されるかどうかを判断する登録要求）をフェムトノード２１０に送信するように構成できる。
【００８８】
処理モジュール５０５は、受信モジュール５４０と送信モジュール５４１の両方に結合できる。処理モジュール５０５は、情報を、記憶、送信のために、および／またはＡＴ２２２の他の構成要素の制御のために処理するように構成できる。処理モジュール５０５は、さらに記憶モジュール５１０に結合できる。記憶モジュール５１０は、処理の前に、処理中に、または処理の後に、情報を記憶するように構成できる。受信モジュール５４０は、処理のためにインバウンドワイヤレスメッセージを処理モジュール５０５にパスすることができる。処理モジュール５０５は、記憶モジュール５１０にインバウンドワイヤレスメッセージを記憶することができる。処理モジュール５０５はまた、記憶モジュール５１０から情報を読み取り、またはそれに情報を書き込むことができる。処理モジュール５０５は、アウトバウンドワイヤレスメッセージを処理し、送信のためにアウトバウンドワイヤレスメッセージを送信モジュール５４１にパスすることができる。処理モジュール５０５は、記憶モジュール５１０からアウトバウンドワイヤレスメッセージを得ることができ、および／または記憶モジュール５１０から得られたデータを使用してアウトバウンドワイヤレスメッセージを処理することができる。一実施形態では、処理モジュール５０５は、受信モジュール５４０からワイヤレスリンクの状態を示すデータを得ることができる。処理モジュール５０５は、ワイヤレスリンクの状態を示すデータを処理することができる。別の実施形態では、処理モジュール５０５はまた、記憶モジュール５１０に、ワイヤレスリンクの状態を示すデータを記憶することができる。
【００８９】
一実施形態では、受信モジュール５４０は、フェムトノード２１０にハンドインするようにＡＴ２２２に命令するハンドオーバメッセージを受信することができる。受信モジュール５４０は、ハンドオーバメッセージを受信し、処理のためにハンドオーバメッセージを処理モジュール５０５にパスすることができる。処理モジュールは、ハンドオーバメッセージを処理することができ、フェムトノード２１０へのＡＴ２２２のハンドインを可能にするために、受信モジュール５４０、送信モジュール５４１、および記憶モジュール５１０と通信することができる。
【００９０】
受信モジュール５４０および送信モジュール５４１は、アンテナ（図５に図示せず）を備えることができる。受信モジュール５４０は、フェムトノード２１０および／またはマクロノード２０５から来るインバウンドワイヤレスメッセージを復調するように構成できる。送信モジュール５４１は、フェムトノード２１０および／またはマクロノード２０５に行くアウトバウンドワイヤレスメッセージを変調するように構成できる。アウトバウンドワイヤレスメッセージはアンテナを介して送信でき、インバウンドワイヤレスメッセージはアンテナを介して受信できる。そのアンテナは、１つまたは複数のチャネルを介してフェムトノード２１０およびマクロノード２０５と通信するように構成できる。アウトバウンドワイヤレスメッセージおよび／またはインバウンドワイヤレスメッセージは、ボイスおよび／またはデータのみの情報（本明細書では「データ」と総称する）を備えることができる。処理モジュール５０５および／またはチャネル推定器モジュール５２５は、送信すべきデータを与えることができる。
【００９１】
記憶モジュール５１０は、様々なレベルが様々な容量およびアクセス速度を有するマルチレベル階層キャッシュを含む、処理モジュールキャッシュを備えることができる。記憶モジュール５１０はまた、ランダムアクセスメモリ（ＲＡＭ）、他の揮発性ストレージデバイス、または不揮発性ストレージデバイスを備えることができる。ストレージは、ハードドライブ、コンパクトディスク（ＣＤ）またはデジタルビデオディスク（ＤＶＤ）などの光ディスク、フラッシュメモリ、フロッピー（登録商標）ディスク、磁気テープ、およびＺｉｐドライブを含むことができる。
【００９２】
別個に説明したが、アクセス端末２２２に関して説明した機能ブロックは別個の構造要素である必要がないことを了解されたい。たとえば、処理モジュール５０５と記憶モジュール５１０とを単一のチップにおいて実施することができる。処理モジュール５０５は、追加、または代替として、レジスタなどのメモリを含むことができる。同様に、機能ブロックのうちの１つまたは複数、または様々なブロックの機能の部分を、単一のチップにおいて実施することができる。代替的に、特定のブロックの機能を２つ以上のチップ上に実装することができる。
【００９３】
処理モジュール５０５およびチャネル推定器モジュール５１５など、ＡＴ２２２に関して説明した機能ブロックのうちの１つまたは複数、および／あるいは機能ブロックの１つまたは複数の組合せは、汎用プロセッサ、デジタル信号プロセッサ（ＤＳＰ）、特定用途向け集積回路（ＡＳＩＣ）、フィールドプログラマブルゲートアレイ（ＦＰＧＡ）、または他のプログラマブル論理デバイス、個別ゲートまたはトランジスタロジック、個別ハードウェア構成要素、あるいは本明細書で説明する機能を実行するように設計されたそれらの任意の好適な組合せとして実施できる。ＡＴ２２２に関して説明した機能ブロックのうちの１つまたは複数、および／あるいは機能ブロックの１つまたは複数の組合せは、コンピューティングデバイスの組合せ、たとえば、ＤＳＰとマイクロプロセッサとの組合せ、複数のマイクロプロセッサ、ＤＳＰ通信と連携する１つまたは複数のマイクロプロセッサ、あるいは任意の他のそのような構成として実装することもできる。
【００９４】
図６は、図２の通信ネットワークのうちの１つの第２の例示的なフェムトノード２１０の機能ブロック図である。図２に関して上記で説明したように、フェムトノード２１０は、ＡＴ２２１に対するハンドインターゲットとすることができる。
【００９５】
フェムトノード２１０は、ＡＴ２２２および／または他のデバイスによって送信されたワイヤレス信号（たとえば、インバウンドワイヤレスメッセージ）を受信するように構成された受信モジュール６３０を備えることができる。一実施形態では、受信モジュール６３０は、ネットワーク２４０を介してＦＣＳ２５４から測定要求（たとえば、測定を実行する、フェムトノード２１０に対する要求）を受信するように構成される。測定要求は、ＡＴ２２２のための識別子（たとえば、媒体アクセス制御（ＭＡＣ）アドレス、国際モバイル加入者識別情報（ＩＭＳＩ）、ロングコードマスク（たとえば、ＡＴ２２２を識別するためのコード）および／または国際モバイル機器識別情報（ＩＭＥＩ））など、ＡＴのための識別子を備えることができる。測定要求はまた、図２において上記で説明したように、フェムトノード２１０がその時にまたはその間に測定を実行すべき時間、持続時間および／または周期的間隔を示すデータを備えることができる。フェムトノード２１０はまた、送信モジュール６３１を備えることができる。送信モジュール６３１は、ワイヤレス信号をＡＴ２２２に送信するように構成できる。送信モジュール６３１はまた、アウトバウンドメッセージをＡＴ２２２に送信することができる。送信モジュール６３１はまた、アウトバウンドメッセージを他のデバイスに送信することができる。受信モジュール６３０および送信モジュール６３１は処理モジュール６０５に結合できる。受信モジュール６３０および送信モジュール６３１はまた、それぞれ、ネットワーク２４０からインバウンドワイヤードメッセージを受信し、アウトバウンドメッセージをネットワーク２４０にパスするように構成できる。受信モジュール６３０は、処理のためにインバウンドワイヤードメッセージを処理モジュール６０５にパスすることができる。受信モジュール６３０はまた、処理のために測定要求を処理モジュール６０５にパスすることができる。処理モジュール６０５は、ネットワーク２４０に送信するために、ワイヤードアウトバウンドメッセージを処理し、それを送信モジュール６３１にパスすることができる。
【００９６】
処理モジュール６０５は、さらに１つまたは複数のバスを介して記憶モジュール６１０に結合できる。処理モジュール６０５は、記憶モジュール６１０から情報を読み取り、またはそれに情報を書き込むことができる。たとえば、記憶モジュール６１０は、処理モジュール６０５と受信モジュール６３０とから受信された測定要求を記憶するように構成できる。処理モジュール６０５はまた、フェムトノード２１０の他の構成要素を制御するように構成できる。処理モジュール６０５はまた、測定モジュール６２０に結合できる。測定モジュール６２０はまた、処理モジュール６０５と受信モジュール６３０とから受信された測定要求を処理することができる。測定モジュール６２０は、測定要求の内容（たとえば、ＡＴ２２２のための識別子）に少なくとも部分的に基づいて、測定値がＡＴ２２２からのＲＬ上で必要とされると判断することができる。測定モジュール６２０は、測定要求に少なくとも部分的に基づいて、フェムトノード２１０がＡＴ２２２からＲＬ上で受信するパイロットエネルギー量（たとえば、Ｅcp,@femto1）を測定するように構成できる。測定モジュール６２０は、フェムトノード２１０がＡＴ２２２からのＲＬ上で受信するパイロットエネルギー量（たとえば、Ｅcp,@femto1）を測定するとき、受信モジュール６４０を使用することができる。測定モジュール６２０はまた、測定報告を発生することができる。測定報告は、図２で上記に説明したように、フェムトノード２１０がＡＴ２２２からＲＬ上で受信するパイロットエネルギー量（たとえば、Ｅcp,@femto1）および／またはフェムトノード２１０のパイロット送信電力を備えることができる。測定モジュール６２０が実行することができる機能に関するさらなる情報については、図２および図１０の説明を参照されたい。
【００９７】
測定報告を発生した後、測定モジュール６２０は、受信モジュール６３０を介して受信すべきハンドオーバメッセージを待つことができる。ハンドオーバメッセージが到着した場合、測定モジュール６２０は、フェムトノード２１０がハンドインターゲットとして選択されたと判断し、マクロノード２０５からＡＴ２２２のハンドインを受け付ける準備をすることができる。ハンドオーバメッセージがない場合、測定モジュール６２０は、フェムトノード２１０がハンドインターゲットとして選択されていないと判断することができる。
【００９８】
受信モジュール６３０および送信モジュール６３１は、少なくとも１つのアンテナ（図６に図示せず）を備えることができるか、または少なくとも１つのアンテナに接続できる。送信モジュール６３１は、ＡＴ２２２に行くワイヤレスアウトバウンドメッセージを変調するように構成できる。受信モジュール６３１は、ＡＴ２２２から来るインバウンドメッセージを復調するように構成できる。ワイヤレスアウトバウンドメッセージは少なくとも１つのアンテナを介して送信でき、インバウンドメッセージは少なくとも１つのアンテナを介して受信できる。少なくとも１つのアンテナは、１つまたは複数のチャネルを介してＡＴ２２２との間でアウトバウンドワイヤレスメッセージとインバウンドワイヤレスメッセージとを送信および／または受信するように構成できる。アウトバウンドワイヤレスメッセージおよびインバウンドワイヤレスメッセージは、ボイスおよび／またはデータのみの情報（本明細書では「データ」と総称する）を備えることができる。受信モジュール６３０は、受信されたデータを復調することができる。送信モジュール６３１は、ワイヤレスネットワークインターフェース６１０を介してフェムトノード２１０から送信すべきデータを変調することができる。処理モジュール６０５は、送信すべきデータを与えることができる。
【００９９】
受信モジュール６３０および送信モジュール６３１は、モデムを備えることができる。モデムは、ネットワーク２４０に行くアウトバウンドワイヤードメッセージを変調するように構成できる。モデムはまた、ネットワーク２４０から来るインバウンドワイヤードメッセージを変調するように構成できる。受信モジュール６３０は、受信されたデータを復調することができる。復調されたデータは処理モジュール６０５に送信できる。送信モジュール６３１は、ワイヤードネットワークインターフェース６３０を介してフェムトノード２１０から送信すべきデータを変調することができる。処理モジュール６０５および／または測定モジュール６２０は、送信すべきデータを与えることができる。
【０１００】
記憶モジュール６１０は、様々なレベルが様々な容量およびアクセス速度を有するマルチレベル階層キャッシュを含む、処理モジュールキャッシュを備えることができる。記憶モジュール６１０はまた、ランダムアクセスメモリ（ＲＡＭ）、他の揮発性ストレージデバイス、または不揮発性ストレージデバイスを備えることができる。ストレージは、ハードドライブ、コンパクトディスク（ＣＤ）またはデジタルビデオディスク（ＤＶＤ）などの光ディスク、フラッシュメモリ、フロッピーディスク、磁気テープ、およびＺｉｐドライブを含むことができる。
【０１０１】
別個に説明したが、フェムトノード２１０に関して説明した機能ブロックは別個の構造要素である必要がないことを諒解されたい。たとえば、処理モジュール６０５と記憶モジュール６１０とを単一のチップにおいて実施することができる。処理モジュール６０５は、追加、または代替として、レジスタなどのメモリを含むことができる。同様に、機能ブロックのうちの１つまたは複数、または様々なブロックの機能の部分を、単一のチップにおいて実施することができる。代替的に、特定のブロックの機能を２つ以上のチップ上に実装することができる。
【０１０２】
処理モジュール６０５および測定モジュール６２０など、フェムトノード２１０に関して説明した機能ブロックのうちの１つまたは複数、および／あるいは機能ブロックの１つまたは複数の組合せは、汎用プロセッサ、デジタル信号プロセッサ（ＤＳＰ）、特定用途向け集積回路（ＡＳＩＣ）、フィールドプログラマブルゲートアレイ（ＦＰＧＡ）、または他のプログラマブル論理デバイス、個別ゲートまたはトランジスタロジック、個別ハードウェア構成要素、あるいは本明細書で説明する機能を実行するように設計されたそれらの任意の好適な組合せとして実施できる。フェムトノード２１０に関して説明した機能ブロックのうちの１つまたは複数、および／あるいは機能ブロックの１つまたは複数の組合せは、コンピューティングデバイスの組合せ、たとえば、ＤＳＰとマイクロプロセッサとの組合せ、複数のマイクロプロセッサ、ＤＳＰ通信と連携する１つまたは複数のマイクロプロセッサ、あるいは任意の他のそのような構成として実装することもできる。
【０１０３】
図７は、図２に示す例示的なマクロノード２０５の機能ブロック図である。図２に関して上記で説明したように、マクロノード２０５は、セルラーまたはモバイル通信ネットワークの基地局とすることができる。マクロノード２０５はまた、ＡＴ２２２から測定メッセージを受信し、その測定メッセージをＭＳＣ２５２に送信することによって、マクロノード２０５からフェムトノード２１０へのハンドインを可能にすることができる。マクロノード２０５は、ＡＴ２２２から測定メッセージを受信し、ＡＴ２２２にアウトバウンドワイヤレスメッセージを送信するように構成されたワイヤレスネットワークインターフェース７４１を備えることができる。ワイヤレスネットワークインターフェース７４１は、処理モジュール７０５に結合できる。処理モジュール７０５は、ワイヤレスネットワークインターフェース７４１を介してＡＴ２２２から来るかまたはＡＴ２２２に行く測定メッセージとアウトバウンドワイヤレスメッセージとを処理するように構成できる。処理モジュール７０５はまた、マクロノード２０５の他の構成要素を制御するように構成できる。処理モジュール７０５はさらにワイヤードネットワークインターフェース７４０に結合できる。ワイヤードネットワークインターフェース７４０は、ＭＳＣ２５２からインバウンドワイヤードメッセージを受信し、ＭＳＣ２５２に測定メッセージを送信するように構成できる。ワイヤードネットワークインターフェース７４０は、インバウンドワイヤードメッセージを受信し、処理のためにインバウンドワイヤードメッセージを処理モジュール７０５にパスすることができる。処理モジュール７０５は、アウトバウンドワイヤードメッセージ（たとえば、測定メッセージ）を処理し、ＭＳＣ２５２に送信するためにアウトバウンドワイヤードメッセージをワイヤードネットワークインターフェース７４０にパスすることができる。一実施形態では、処理モジュール７０５は、ＭＳＣ２５２が測定メッセージを受信した元のマクロノード２０５のための識別子（たとえば、スクランブリングコード）を測定メッセージに追加することができる。別の実施形態では、処理モジュール７０５は、ＭＳＣ２５２が測定メッセージを受信した元のマクロノード２０５のための識別子を備える別個のアウトバウンドメッセージを発生することができる。マクロノード２０５のための識別子は、図９および図１１において以下で説明するように、ＦＣＳ２５４によって使用できる。
【０１０４】
処理モジュール７０５は、さらに１つまたは複数のバスを介して記憶モジュール７１０に結合できる。処理モジュール７０５は、記憶モジュール７１０から情報を読み取り、またはそれに情報を書き込むことができる。記憶モジュール７１０は、インバウンドまたはアウトバウンドの、ワイヤードまたはワイヤレスメッセージを処理する際に使用する情報を記憶するように構成できる。記憶モジュール７１０はまた、測定メッセージを記憶するように構成できる。
【０１０５】
ワイヤレスネットワークインターフェース７４１はアンテナとトランシーバとを備えることができる。そのトランシーバは、ＡＴ２２２に行くかまたはＡＴ２２２から来るアウトバウンド／インバウンドワイヤレスメッセージを変調／復調するように構成できる。インバウンド／アウトバウンドワイヤレスメッセージは、そのアンテナを介して送信／受信することができる。そのアンテナは、１つまたは複数のチャネルを介して、マクロノード２０５からアウトバウンド／インバウンドワイヤレスメッセージを送信および／または受信するように構成できる。アウトバウンド／インバウンドワイヤレスメッセージは、ボイスおよび／またはデータのみの情報（本明細書では「データ」と総称する）を備えることができる。ワイヤレスネットワークインターフェース７４１は、受信されたデータを復調することができる。ワイヤレスネットワークインターフェース７４１は、ワイヤレスネットワークインターフェース７４１を介してマクロノード２０５から送信すべきデータを変調することができる。処理モジュール７０５は、送信すべきデータを与えることができる。
【０１０６】
ワイヤードネットワークインターフェース７４０はモデムを備えることができる。そのモデムは、ＭＳＣ２５２に行くかまたはＭＳＣ２５２から来るアウトバウンド／インバウンドワイヤードメッセージを変調／復調するように構成できる。ワイヤードネットワークインターフェース７４０は、当技術分野で知られている方法を使用して１つまたは複数のワイヤード規格に従って、受信したデータを復調することができる。復調されたデータは処理モジュール７０５に送信できる。ワイヤードネットワークインターフェース７４０は、当技術分野で知られている方法を使用して１つまたは複数のワイヤード規格に従って、ワイヤードネットワークインターフェース７４０を介してマクロノード２０５から送信すべきデータを変調することができる。処理モジュール７０５は、送信すべきデータを与えることができる。
【０１０７】
記憶モジュール７１０は、様々なレベルが様々な容量およびアクセス速度を有するマルチレベル階層キャッシュを含む、プロセッサキャッシュを備えることができる。記憶モジュール７１０はまた、ランダムアクセスメモリ（ＲＡＭ）、他の揮発性ストレージデバイス、または不揮発性ストレージデバイスを備えることができる。ストレージは、ハードドライブ、コンパクトディスク（ＣＤ）またはデジタルビデオディスク（ＤＶＤ）などの光ディスク、フラッシュメモリ、フロッピーディスク、磁気テープ、およびＺｉｐドライブを含むことができる。
【０１０８】
別個に説明したが、マクロノード２０５に関して説明した機能ブロックは別個の構造要素である必要がないことを了解されたい。たとえば、処理モジュール７０５と記憶モジュール７１０とを単一のチップにおいて実施することができる。処理モジュール７０５は、追加、または代替として、プロセッサレジスタなどのメモリを含むことができる。同様に、機能ブロックのうちの１つまたは複数、または様々なブロックの機能の部分を、単一のチップにおいて実施することができる。代替的に、特定のブロックの機能を２つ以上のチップ上に実装することができる。
【０１０９】
処理モジュール７０５など、マクロノード２０５に関して説明した機能ブロックのうちの１つまたは複数、および／あるいは機能ブロックの１つまたは複数の組合せは、汎用プロセッサ、デジタル信号プロセッサ（ＤＳＰ）、特定用途向け集積回路（ＡＳＩＣ）、フィールドプログラマブルゲートアレイ（ＦＰＧＡ）、または他のプログラマブル論理デバイス、個別ゲートまたはトランジスタロジック、個別ハードウェア構成要素、あるいは本明細書で説明する機能を実行するように設計されたそれらの任意の好適な組合せとして実施できる。マクロノード２０５に関して説明した機能ブロックのうちの１つまたは複数、および／あるいは機能ブロックの１つまたは複数の組合せは、コンピューティングデバイスの組合せ、たとえば、ＤＳＰとマイクロプロセッサとの組合せ、複数のマイクロプロセッサ、ＤＳＰ通信と連携する１つまたは複数のマイクロプロセッサ、あるいは任意の他のそのような構成として実装することもできる。
【０１１０】
図８は、図２に示す例示的なモバイル交換センター（ＭＳＣ）２５２の機能ブロック図である。図２に関して上記で説明したように、ＭＳＣ２５２は、マクロノード２０５とＦＣＳ２５４との間のメッセージをルーティングするように構成されたルータとして動作することができる。ＭＳＣ２５２は、マクロノード２０５またはＦＣＳ２５４から測定メッセージを受信し、そこにアウトバウンドメッセージを送信するように構成されたネットワークインターフェース８１０を備えることができる。ネットワークインターフェース８１０は処理モジュール８２０に結合できる。処理モジュール８２０は、ネットワークインターフェース８１０によって受信された測定メッセージとネットワークインターフェース８１０によって送信されたアウトバウンドメッセージとを処理するように構成できる。処理モジュール８２０は、さらに１つまたは複数のバスを介して記憶モジュール８２５に結合できる。処理モジュール８２０は、記憶モジュール８２５から情報を読み取り、またはそれに情報を書き込むことができる。記憶モジュール８２５は、処理の前に、処理中に、または処理の後に、インバウンドおよびアウトバウンドメッセージを記憶するように構成できる。特に、記憶モジュール８２５は、測定メッセージを記憶するように構成できる。
【０１１１】
処理モジュール８２０は、さらにルーティングモジュール８３０に結合できる。処理モジュール８２０は、追加の処理のために測定メッセージをルーティングモジュール８３０にパスすることができる。ルーティングモジュール８３０は、測定メッセージを分析して、測定メッセージの内容に少なくとも部分的に基づいて１つまたは複数の宛先を判断することができる。たとえば、測定メッセージは、フェムトノード２１０のＰＮオフセットを含むことができる。ルーティングモジュール８３０は、ＰＮオフセットを分析し、フェムトノード２１０がＦＣＳ２５４に関連付けられていることを判断することができる。ルーティングモジュール８３０は、ルーティング決定を行うことを容易にするために、記憶モジュール８２５に直接結合できる。たとえば、記憶モジュール８２５は、ＰＮオフセット値をＦＣＳのためのアドレスまたは他の識別子に関連付ける情報を含んでいるデータ構造、たとえば、リストまたはテーブルを記憶することができる。ルーティングモジュール８３０は、ＰＮオフセットを使用して、記憶モジュール８２５中で、あるＦＣＳのための識別子をルックアップするように構成できる。ルーティングモジュール８３０はまた、測定メッセージを送信すべき先のＦＣＳ２５４のためのアドレスまたは他の識別子などの情報を処理モジュール８２０に供給するように構成できる。処理モジュール８２０は、測定メッセージをＦＣＳ２５４に転送するために、ルーティングモジュール８３０からのこの情報を使用するように構成できる。処理モジュール８２０は、ＦＣＳ２５４に送信するためにアウトバウンドメッセージをネットワークインターフェース８１０にパスすることができる。
【０１１２】
ネットワークインターフェース８１０はモデムを備えることができる。そのモデムは、アウトバウンド／インバウンドメッセージを変調／復調するように構成できる。ネットワークインターフェース８１０は、それに応じて受信されたデータを復調することができる。復調されたデータは処理モジュール８２０に送信できる。ネットワークインターフェース８１０は、ＭＳＣ２５２から送信すべきデータを変調することができる。送信すべきデータは処理モジュール８２０から受信できる。
【０１１３】
記憶モジュール８２５は、様々なレベルが様々な容量およびアクセス速度を有するマルチレベル階層キャッシュを含む、プロセッサキャッシュを備えることができる。記憶モジュール８２５はまた、ランダムアクセス記憶モジュール（random access storing module）（ＲＡＭ）、他の揮発性ストレージデバイス、または不揮発性ストレージデバイスを備えることができる。ストレージは、ハードドライブ、コンパクトディスク（ＣＤ）またはデジタルビデオディスク（ＤＶＤ）などの光ディスク、フラッシュメモリ、フロッピーディスク、磁気テープ、およびＺｉｐドライブを含むことができる。
【０１１４】
別個に説明したが、ＭＳＣ２５２に関して説明した機能ブロックは別個の構造要素である必要がないことを諒解されたい。たとえば、処理モジュール８２０とメモリ８２５とを単一のチップにおいて実施することができる。処理モジュール８２０は、追加、または代替として、プロセッサレジスタなどのメモリを含むことができる。同様に、機能ブロックのうちの１つまたは複数、または様々なブロックの機能の部分を、単一のチップにおいて実施することができる。代替的に、特定のブロックの機能を２つ以上のチップ上に実装することができる。
【０１１５】
処理モジュール８２０およびルーティングモジュール８３０など、ＭＳＣ２５２に関して説明した機能ブロックのうちの１つまたは複数、および／あるいは機能ブロックの１つまたは複数の組合せは、汎用プロセッサ、デジタル信号プロセッサ（ＤＳＰ）、特定用途向け集積回路（ＡＳＩＣ）、フィールドプログラマブルゲートアレイ（ＦＰＧＡ）、または他のプログラマブル論理デバイス、個別ゲートまたはトランジスタロジック、個別ハードウェア構成要素、あるいは本明細書で説明する機能を実行するように設計されたそれらの任意の好適な組合せとして実施できる。ＭＣＳ２５２に関して説明した機能ブロックのうちの１つまたは複数、および／あるいは機能ブロックの１つまたは複数の組合せは、コンピューティングデバイスの組合せ、たとえば、ＤＳＰとマイクロプロセッサとの組合せ、複数のマイクロプロセッサ、ＤＳＰ通信と連携する１つまたは複数のマイクロプロセッサ、あるいは任意の他のそのような構成として実装することもできる。
【０１１６】
図９は、図２に示す例示的なフェムトコンバージェンスサーバ（ＦＣＳ）２５４の機能ブロック図である。図２に関して上記で説明したように、ＦＣＳ２５４は、ネットワーク２４０を介してＭＳＣ２５２とフェムトノード２１０および２１２との間のメッセージをルーティングするように構成されたフェムトスイッチとして動作する。さらに、ＦＣＳ２５４は、図２で上記に説明したように、ＲＬおよび／またはＦＬ測定情報に基づいてフェムトノード２１０などのハンドインターゲットを識別するのを助けるように構成できる。ＦＣＳ２５４は、マクロノード２０５とＭＳＣ２５２とを介してＡＴ２２２から測定メッセージを受信するように構成された受信モジュール９４０を備えることができる。ＦＣＳ２５４はまた、ネットワーク２４０を介して測定要求をフェムトノード２１０および２１２に送信するために送信モジュール９４１を備えることができる。受信モジュール９４０および送信モジュール９４１は、処理モジュール９２０に結合できる。処理モジュール９２０は、インバウンドおよびアウトバウンドメッセージを処理するように構成できる。処理モジュール９２０は、さらに１つまたは複数のバスを介して記憶モジュール９２５に結合できる。処理モジュール９２０は、記憶モジュール９２５から情報を読み取り、またはそれに情報を書き込むことができる。記憶モジュール９２５は、処理の前に、処理中に、または処理の後に、インバウンドおよびアウトバウンドメッセージを記憶するように構成できる。特に、記憶モジュール９２５は、上記で説明した測定要求と測定メッセージとを記憶するように構成できる。
【０１１７】
処理モジュール９２０は、測定メッセージを分析して、フェムトノードのためのＰＮオフセットを判断することができる。たとえば、測定メッセージは５０のＰＮオフセットを備えることができる。処理モジュール９２０は、測定メッセージ中のＰＮオフセットを分析して、ＡＴ２２２が５０のＰＮオフセットを有するフェムトノード（たとえば、フェムトノード２１０）にアクセスできるかどうかを判断することができる。フェムトノード２１０が開いたノードである場合、および／またはＡＴ２２２がフェムトノード２１０のためのアクセスリストのメンバーである場合、ＡＴ２２２は、フェムトノード２１０にアクセスすることができる。図８で上記に説明したように、ＭＳＣ２５２は、測定メッセージ中のマクロノード２０５のための識別子を追加することができ、および／またはＭＳＣ２５２は、マクロノード２０５のための識別子をもつ別個のメッセージを送信することができる。処理モジュール９２０は、マクロノード２０５のための識別子（たとえば、スクランブリングコード）を得ることができる。処理モジュール９２０は、マクロノード２０５のための識別子と５０のＰＮオフセットとを使用して、５０のＰＮオフセットを使用する、マクロノード２０５の周りのあるエリア中のすべてのフェムトノードのリストを得ることができる。たとえば、処理モジュール９２０は、５０のＰＮオフセットを使用する合計６つのフェムトノードが２００フィート半径のマクロノード２０５内にあると判断することができる。処理モジュール９２０は、フェムトノードのリスト中に６つのフェムトノードを含むことができる。別の例では、処理モジュール９２０は、５０のＰＮオフセットを使用する合計２０個のフェムトノードが１マイル半径のマクロノード２０５内にあると判断することができる。処理モジュール９２０は、フェムトノードのリスト中に２０個のフェムトノードを含むことができる。マクロノード２０５の周りのあるエリア中のフェムトノードのリストを得るときに、マクロノード２０５の周りの多種多様なエリア、サイズおよび形状を使用することができる。
【０１１８】
処理モジュール９２０はまた、測定要求を発生し、測定要求をフェムトノードのリスト中のすべてのフェムトノードに送信することができる。図２および図６で上記に説明したように、測定要求を受信した後、測定要求を受信するフェムトノード（たとえば、フェムトノード２１０および２１２）は、ＲＬおよび／またはＦＬ測定を実行することができる。フェムトノードは、ＲＬおよび／またはＦＬ測定を実行した後、測定報告をＦＣＳ２５４に送信することができる。処理モジュール９２０は、受信モジュール９４０および／または処理モジュール９２０から測定報告を得ることができる。一実施形態では、処理モジュール９２０は、記憶モジュール９２５に測定報告を記憶することができる。別の実施形態では、処理モジュール９２０は、測定報告を選択モジュール９３１に直接パスすることができる。
【０１１９】
選択モジュール９３１は、５０のＰＮオフセットをもつ異なるフェムトノード（たとえば、フェムトノード２１０および２１２）から受信された測定報告のすべてを分析することができる。各フェムトノードから受信された各測定報告について、選択モジュール９３１は、フェムトノードによって送信されたパイロット信号の電力（たとえば、ＴｘＰｉｌＰｗｒfemto1）と、フェムトノードがＡＴ２２２からＲＬ上で受信するパイロットエネルギー量（たとえば、Ｅcp,@femto1）とを分析することができる。選択モジュール９３１は、各フェムトノードについて受信された値を結合し、各フェムトノードについて結合値をランク付けすることができる。たとえば、選択モジュール９３１は、フェムトノード２１０についてＴｘＰｉｌＰｗｒfemto1とＥcp,@femto1とを加算し、フェムトノード２１２についてＴｘＰｉｌＰｗｒfemto2とＥcp,@femto2とを加算することができる。選択モジュール９３１は、結合値をある順序で（たとえば、最大から最小に、または最小から最大に）ランク付けすることができる。図２で上記に説明したように、選択モジュール９３１は、最大結合値をもつフェムトノード（たとえば、フェムトノード２１０）をハンドインターゲットとして選択することができる。処理モジュール９２０は、マクロノード２０５からフェムトノード２１０へのＡＴ２２２のハンドインを容易にするために、ハンドオーバメッセージを発生し、マクロノード２０５を介してＡＴ２２２に、および／またはフェムトノード２１０にハンドオーバメッセージを送信することができる。処理モジュール９２０は、送信モジュール９４１を使用して、ハンドオーバメッセージをＡＴ２２２および／またはフェムトノード２１０に送信することができる。ハンドオーバメッセージは、少なくとも、行うべきハンドインのための指定された時間と、ハンドインすることになるＡＴのための識別子（たとえば、ＡＴ２２２のためのＩＭＳＩ）とを備えることができる。
【０１２０】
受信モジュール９４０および送信モジュール９４１は、モデムを備えることができる。そのモデムは、ＦＣＳ２５４に行くかまたはＦＣＳ２５４から来るアウトバウンド／インバウンドメッセージを変調／復調するように構成できる。受信モジュール９４０は、受信されたデータを復調することができる。復調されたデータは処理モジュール９２０に送信できる。送信モジュール９４１は、ＭＳＣ２５２から送信すべきデータを変調することができる。送信すべきデータは処理モジュール９２０から受信できる。
【０１２１】
記憶モジュール９２５は、様々なレベルが様々な容量およびアクセス速度を有するマルチレベル階層キャッシュを含む、プロセッサキャッシュを備えることができる。記憶モジュール９２５はまた、ランダムアクセスメモリ（ＲＡＭ）、他の揮発性ストレージデバイス、または不揮発性ストレージデバイスを備えることができる。ストレージは、ハードドライブ、コンパクトディスク（ＣＤ）またはデジタルビデオディスク（ＤＶＤ）などの光ディスク、フラッシュメモリ、フロッピーディスク、磁気テープ、およびＺｉｐドライブを含むことができる。
【０１２２】
別個に説明したが、ＦＣＳ２５４に関して説明した機能ブロックは別個の構造要素である必要がないことを諒解されたい。たとえば、処理モジュール９２０と記憶モジュール９２５とを単一のチップにおいて実施することができる。処理モジュール９２０は、追加、または代替として、プロセッサレジスタなどのメモリを含むことができる。同様に、機能ブロックのうちの１つまたは複数、または様々なブロックの機能の部分を、単一のチップにおいて実施することができる。代替的に、特定のブロックの機能を２つ以上のチップ上に実装することができる。
【０１２３】
処理モジュール９２０および選択モジュール９３１など、ＦＣＳ２５４に関して説明した機能ブロックのうちの１つまたは複数、および／あるいは機能ブロックの１つまたは複数の組合せは、汎用プロセッサ、デジタル信号プロセッサ（ＤＳＰ）、特定用途向け集積回路（ＡＳＩＣ）、フィールドプログラマブルゲートアレイ（ＦＰＧＡ）、または他のプログラマブル論理デバイス、個別ゲートまたはトランジスタロジック、個別ハードウェア構成要素、あるいは本明細書で説明する機能を実行するように設計されたそれらの任意の好適な組合せとして実施できる。ＦＣＳ２５４に関して説明した機能ブロックのうちの１つまたは複数、および／あるいは機能ブロックの１つまたは複数の組合せは、コンピューティングデバイスの組合せ、たとえば、ＤＳＰとマイクロプロセッサとの組合せ、複数のマイクロプロセッサ、ＤＳＰ通信と連携する１つまたは複数のマイクロプロセッサ、あるいは任意の他のそのような構成として実装することもできる。
【０１２４】
上記実施形態はフェムトノードについて説明したが、本発明の他の実施形態は任意のタイプのノード（たとえば、マクロノード、ノードＢなど）に適用可能であり得る。
【０１２５】
（たとえば、添付の図の１つまたは複数に関して）本明細書で説明した機能は、いくつかの態様では、添付の特許請求の範囲において同様に指定された「手段」機能に対応することがある。図５〜図９を参照すると、フェムトノード２１０、ＡＴ２２２、マクロノード２０５、ＭＳＣ２５２、およびＦＣＳ２５４が、一連の相互に関連する機能モジュールとして表されている。
【０１２６】
図５〜図９のモジュールの機能は、本明細書の教示に合致する様々な方法で実装できる。いくつかの態様では、これらのモジュールの機能は、１つまたは複数の電気構成要素として実装できる。いくつかの態様では、これらのブロックの機能は、１つまたは複数のプロセッサ構成要素を含む処理システムとして実装できる。いくつかの態様では、これらのモジュールの機能は、たとえば、１つまたは複数の集積回路（たとえば、ＡＳＩＣ）の少なくとも一部を使用して実装できる。本明細書で説明するように、集積回路は、プロセッサ、ソフトウェア、他の関係する構成要素、またはそれらの何らかの組合せを含むことができる。これらのモジュールの機能は、本明細書で教示する何らかの他の仕方で実装することもできる。
【０１２７】
図１０は、図６に示すフェムトノード２１０によって実行され得る第１の例示的な通信プロセス１０００を示すフローチャートである。フェムトノード２１０がＦＣＳ２５４から測定要求を受信したとき、フェムトノード２１０がプロセス１０００を実行する。プロセス１０００は、開始ブロック１００４において開始し、終了ブロック１０３２において終了する。図１０の説明において、図２、図５、および図６を参照する。一実施形態では、図６に示すフェムトノード２１０の処理モジュール６０５および測定モジュール６２０のうちの少なくとも１つが、プロセス１３００の一部を実行する。フェムトノード２１０がＦＣＳ２５４から測定要求を受信するたびに、プロセス１０００を実行する。
【０１２８】
プロセス１０００は、開始ブロック１００４において開始し、ブロック１００８に移動し、そこでフェムトノード２１０が測定要求を受信する。フェムトノード２１０は、受信モジュール６３０を使用して測定要求を受信し、処理モジュール６０５および測定モジュール６２０のうちの少なくとも１つを使用して測定要求を処理する。図６において説明したように、測定要求は、図２に示すＡＴ２２２などのＡＴのための識別子を備える。測定要求を処理した後、プロセス１０００はブロック１０１２に移動し、そこで、図２において上記で説明したように、測定モジュール６２０は、ＡＴ（たとえば、ＡＴ２２２）とフェムトノード２１０との間のＲＬの少なくとも１つの測定値を得る。測定モジュール６２０は、受信モジュール６３０を使用して少なくとも１つの測定値を得る。たとえば、受信モジュール６３０は、少なくとも１回の測定を実行し、少なくとも１つの測定値を示すデータを測定モジュール６２０に与える。少なくとも１つの測定値を得た後、プロセス１０００はブロック１０１６に移動し、そこで、図２において上記で説明したように、測定モジュール６２０は、フェムトノード２１０の送信パイロット電力を得る。測定モジュール６２０は、送信モジュール６３１を使用してフェムトノード２１０の送信電力を得る。たとえば、測定モジュール６２０は、送信モジュール６３１に問い合わせてフェムトノード２１０の送信電力を判断する。
【０１２９】
送信電力を得た後、プロセス１０００はブロック１０２０に移動し、そこで、図２および図６において上記で説明したように、測定モジュール６２０は、測定報告を発生する。測定報告は、ＡＴ２２２から受信されたパイロットエネルギーとフェムトノード２１２の送信パイロット電力とを示すデータを備える。測定モジュールは、送信モジュール６３１を使用して、ネットワーク２４０を介して測定報告をＦＣＳ２５４に送信する。測定報告を送信した後、プロセス１０００はブロック１０２４に移動し、そこで、測定モジュール６２０は、フェムトノード２１０がＡＴ２２２のためのハンドインターゲットとして選択されたかどうかを判断する。図６および図９で説明したように、測定モジュール６２０は、受信モジュール６３０を介して到着するハンドオーバメッセージを待つことによって、この判断を行う。ハンドオーバメッセージが到着しない場合、プロセス１０００は終了ブロック１０３２に移動し、そこでプロセス１０００は終了する。ハンドオーバメッセージを受信した場合、プロセス１０００はブロック１０２８に移動し、そこで、フェムトノード２１２はモバイルデバイス（たとえば、ＡＴ２２２）のハンドインを受け付ける。モバイルデバイスのハンドインを受け付けた後、プロセス１０００は終了ブロック１０３２に移動し、そこでプロセス１０００は終了する。
【０１３０】
図１１は、図９に示すフェムトコンバージェンスサーバ（ＦＣＳ）２５４によって実行され得る第２の例示的な通信プロセス１１００を示すフローチャートである。ＦＣＳ２５４がマクロノード２０５を介してＡＴ２２２から測定メッセージを受信したとき、ＦＣＳ２５４がプロセス１１００を実行する。プロセス１１００は、開始ブロック１１０４において開始し、終了ブロック１０４０において終了する。図１１の説明において、図２、図５、図６、および図９を参照する。一実施形態では、図９に示すＦＣＳ２５４の処理モジュール９２０および選択モジュール９３１のうちの少なくとも１つが、プロセス１１００の一部を実行する。ＦＣＳ２５４がＡＴ２２２から測定メッセージを受信するたびに、プロセス１１００を実行する。
【０１３１】
プロセス１１００は、開始ブロック１１０４において開始し、ブロック１１０８に移動し、そこで、受信モジュール９４０はマクロノード２０５を介してＡＴ２２２から測定メッセージを受信する。受信モジュールは、測定メッセージを処理モジュール９２０にパスする。また、測定メッセージを処理モジュール９２０にパスし、記憶モジュール９２５に記憶する。測定メッセージは、少なくともターゲットフェムトノード（たとえば、フェムトノード２１０）のためのＰＮオフセットと、モバイルデバイスのための識別子（たとえば、ＡＴ２２２のためのＩＭＳＩ）とを備える。測定メッセージを受信した後、プロセス１１００はブロック１１１６に移動し、そこで、処理モジュール９２０は、指定されたＰＮオフセットを使用するあるエリア中のすべてのフェムトノードのリストを得る。図９において上記で説明したように、処理モジュール９２０は、マクロノード２０５のための識別子と指定されたＰＮオフセットとを使用して、指定されたＰＮオフセットを使用する、マクロノード２０５の周りのあるエリア中のすべてのフェムトノードのリストを得る。
【０１３２】
指定されたＰＮオフセットを使用する、あるエリア中のすべてのフェムトノードのリストを得た後、プロセスはブロック１１２０に移動し、そこで、処理モジュール９２０は、フェムトノードのリスト中のフェムトノードによる測定を求める測定要求を発生する。一実施形態では、処理モジュール９２０は、１つの測定要求のみを発生する。別の実施形態では、処理モジュール９２０は、複数の測定要求を発生する。少なくとも１つの測定要求を発生した後、プロセスはブロック１１２４に移動し、そこで、送信モジュール９４１を使用して、少なくとも１つの測定要求をフェムトノードのリスト中のすべてのフェムトノードに送信する。少なくとも１つの測定要求をフェムトノードのリスト中のフェムトノードのすべてに送信した後、プロセス１１００はブロック１１２８に移動し、そこで、選択モジュール９３１は、フェムトノードからのデータを待つためのタイマーが満了したかどうかを判断する。選択モジュール９３１は、フェムトノードのリスト中のフェムトノードからデータを受信すべき指定された時間期間（たとえば、タイマー）の間待つ。タイマーが満了しなかった場合、プロセス１１００はブロック１１２８にループバックし、そこで、プロセス１１００はフェムトノードからのより多くのデータを待つ。たとえば、ＦＣＳ２５４は、データを受信したかどうかを検査するために５秒間のみ待つ。別の例では、ＦＣＳ２５４は、データを受信したかどうかを検査するために１０秒のみ待つ。タイマーが満了した場合、プロセス１１００はブロック１１３２に移動し、そこで、選択モジュール９３１は、図２において上記で説明したように、最高のエネルギー測定値をもつノードを選択することによって、ハンドインターゲットを選択する。選択モジュール９３１は、図２において上記で説明したように、報告中の値に基づいてハンドインターゲットフェムトノードを選択する。ハンドインターゲットフェムトノードを選択した後、プロセスはブロック１１３４に移動し、そこで、処理モジュール９２０および処理モジュール９２０のうちの少なくとも１つを使用して、モバイルデバイス（たとえば、ＡＴ２２２）がハンドインターゲット（たとえば、フェムトノード２１０）にアクセスできるかどうかを判断する。図２において上記で説明したように、フェムトノードが開いたノードであるか、および／またはＡＴ２２２がフェムトノードのアクセス制御リストのメンバーである場合、ＡＴ２２２はフェムトノードにアクセスできる。ＡＴ２２２がハンドインターゲット（たとえば、フェムトノード２１０）にアクセスできない場合、プロセス１１００は終了ブロック１１４０に移動し、そこでプロセス１１００は終了する。ＡＴ２２２がハンドインターゲットにアクセスできた場合、プロセスはブロック１１３６に移動し、選択モジュール９３１は、送信モジュール９４１を使用してハンドオーバメッセージをＡＴ２２２および／またはフェムトノード２１０に送信する。ＦＣＳ２５４によって送信されたハンドオーバメッセージに少なくとも部分的に基づいて、ＡＴ２２２は、フェムトノード２１０との通信リンク（ＲＬおよびＤＬ）を確立する。次いで、プロセス１１００は終了ブロック１１４０に移動し、そこでプロセス１１００は終了する。
【０１３３】
図１２は、図２の通信ネットワークのうちの１つの第３の例示的なフェムトノードの機能ブロック図である。図示のように、フェムトノード２１０は、処理モジュール１２０５と、記憶モジュール１２１０と、取得モジュール１２２０と、受信モジュール１２３０と、送信モジュール１２３１とを備えることができる。処理モジュール１２０５は、記憶モジュール１２１０と、取得モジュール１２２０と、受信モジュール１２３０と、送信モジュール１２３１とに結合される。取得モジュール１２２０は記憶モジュール１２１０に結合される。処理モジュール１２０５は、少なくともいくつかの態様では、たとえば、本明細書で説明するプロセッサに対応することがある。記憶モジュール１２１０は、少なくともいくつかの態様では、たとえば、本明細書で説明するメモリに対応することがある。受信モジュール１２３０は、少なくともいくつかの態様では、たとえば、本明細書で説明するトランシーバおよび／またはアンテナに対応することがある。送信モジュール１２３１は、少なくともいくつかの態様では、たとえば、本明細書で説明するトランシーバおよび／またはアンテナに対応することがある。取得モジュール１２２０は、少なくともいくつかの態様では、たとえば、本明細書で説明する図６に示す測定モジュール６２０に対応することがある。
【０１３４】
図１３は、図２の通信ネットワークのうちの１つの第２のフェムトコンバージェンスサーバ（ＦＣＳ）の機能ブロック図をである。図示のように、ＦＣＳ２５４は、生起（causing）モジュール１３０５と、記憶モジュール１３２５と、識別モジュール１３３１と、受信モジュール１３４０と、送信モジュール１３４１とを備えることができる。生起モジュール１３０５は、記憶モジュール１３２５と、識別モジュール１３３１と、受信モジュール１３４０と、送信モジュール１３４２とに結合される。識別モジュール１３３１は記憶モジュール１３２５に結合される。生起モジュール１３０５は、少なくともいくつかの態様では、たとえば、本明細書で説明するプロセッサに対応することがある。記憶モジュール１３２５は、少なくともいくつかの態様では、たとえば、本明細書で説明するメモリに対応することがある。受信モジュール１３４０は、少なくともいくつかの態様では、たとえば、本明細書で説明するトランシーバおよび／またはアンテナに対応することがある。送信モジュール１３４１は、少なくともいくつかの態様では、たとえば、本明細書で説明するトランシーバおよび／またはアンテナに対応することがある。識別モジュール１３３１は、少なくともいくつかの態様では、たとえば、本明細書で説明する図９に示す選択モジュール９３１に対応することがある。
【０１３５】
図１２〜図１３のモジュールの機能は、本明細書の教示に合致する様々な方法で実装できる。いくつかの態様では、これらのモジュールの機能は、１つまたは複数の電気構成要素として実装できる。いくつかの態様では、これらのブロックの機能は、１つまたは複数のプロセッサ構成要素を含む処理システムとして実装できる。いくつかの態様では、これらのモジュールの機能は、たとえば、１つまたは複数の集積回路（たとえば、ＡＳＩＣ）の少なくとも一部を使用して実装できる。本明細書で説明するように、集積回路は、プロセッサ、ソフトウェア、他の関係する構成要素、またはそれらの何らかの組合せを含むことができる。これらのモジュールの機能は、本明細書で教示する何らかの他の仕方で実装することもできる。
【０１３６】
（たとえば、添付の図の１つまたは複数に関して）本明細書で説明した機能は、いくつかの態様では、添付の特許請求の範囲において同様に指定された「手段」機能に対応することがある。図１２〜図１３を参照すると、フェムトノード２１０およびＦＣＳ２５４が、一連の相互に関連する機能モジュールとして表されている。
【０１３７】
図１２〜図１３のモジュールの機能は、本明細書の教示に合致する様々な方法で実装できる。いくつかの態様では、これらのモジュールの機能は、１つまたは複数の電気構成要素として実装できる。いくつかの態様では、これらのブロックの機能は、１つまたは複数のプロセッサ構成要素を含む処理システムとして実装できる。いくつかの態様では、これらのモジュールの機能は、たとえば、１つまたは複数の集積回路（たとえば、ＡＳＩＣ）の少なくとも一部を使用して実装できる。本明細書で説明するように、集積回路は、プロセッサ、ソフトウェア、他の関係する構成要素、またはそれらの何らかの組合せを含むことができる。これらのモジュールの機能は、本明細書で教示する何らかの他の方法で実装することもできる。
【０１３８】
本明細書における「第１」、「第２」などの名称を使用した要素への言及は、それらの要素の数量または順序を概括的に限定するものでないことを理解されたい。むしろ、これらの名称は、本明細書において２つ以上の要素またはある要素の複数の例を区別する便利な方法として使用できる。したがって、第１および第２の要素への言及は、そこで２つの要素のみが採用できること、または第１の要素が何らかの方法で第２の要素に先行しなければならないことを意味するものではない。また、別段の規定がない限り、要素のセットは１つまたは複数の要素を備えることがある。さらに、明細書または特許請求の範囲において使用される「Ａ、Ｂ、またはＣのうちの少なくとも１つ」という形式の用語は、「ＡまたはＢまたはＣ、あるいはこれらの要素の任意の組合せ」を意味する。
【０１３９】
本明細書で提示する実施形態および他の実施形態については、さらに添付の付録においてより詳細に説明されている。本明細書では本発明の特定の例について説明しているが、当業者なら、発明の概念を逸脱することなく本発明の変形を考案することができる。たとえば、本明細書の教示は、回路交換ネットワーク要素について言及しているが、パケット交換ドメインネットワーク要素に等しく適用可能である。
【０１４０】
情報および信号は、様々な異なる技術および技法のいずれを使用しても表すことができることを、当業者なら理解されよう。たとえば、上記の説明全体にわたって言及されるデータ、命令、コマンド、情報、信号、ビット、シンボル、およびチップは、電圧、電流、電磁波、磁界または磁性粒子、光場または光学粒子、あるいはそれらの任意の組合せによって表すことができる。
【０１４１】
さらに、本明細書で開示した例に関連して説明した様々な例示的な論理ブロック、モジュール、回路、方法およびアルゴリズムは、電子ハードウェア、コンピュータソフトウェア、または両方の組合せとして実装できることを、当業者は理解されよう。ハードウェアとソフトウェアのこの互換性を明確に説明するために、様々な例示的な構成要素、ブロック、モジュール、回路、方法、およびアルゴリズムについて、概してそれらの機能に関して上記で説明した。そのような機能をハードウェアとして実装するか、ソフトウェアとして実装するかは、特定の適用例および全体的なシステムに課される設計制約に依存する。当業者は、説明した機能を特定の適用例ごとに様々な方法で実装することができるが、そのような実装の決定は、本発明の範囲からの逸脱を生じるものと解釈すべきではない。
【０１４２】
本明細書で開示した例に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタロジック、個別ハードウェア構成要素、あるいは本明細書で説明する機能を実行するように設計されたそれらの任意の組合せを用いて実装または実行できる。汎用プロセッサはマイクロプロセッサとすることができるが、代替として、プロセッサは、任意の従来のプロセッサ、コントローラ、マイクロコントローラ、または状態マシンとすることができる。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装することもできる。
【０１４３】
本明細書で開示した例に関して説明した方法またはアルゴリズムは、直接ハードウェアで、プロセッサによって実行されるソフトウェアモジュールで、またはそれらの２つの組合せで実施できる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐することができる。記憶媒体は、プロセッサがその記憶媒体から情報を読み取り、その記憶媒体に情報を書き込むことができるようにプロセッサに結合できる。代替として、記憶媒体はプロセッサに一体化することができる。プロセッサおよび記憶媒体はＡＳＩＣ中に常駐することができる。
【０１４４】
１つまたは複数の例示的な実施形態では、説明した機能はハードウェア、ソフトウェア、ファームウェア、またはそれらの任意の組合せで実装できる。ソフトウェアで実装する場合、機能は、１つまたは複数の命令またはコードとしてコンピュータ可読媒体上に記憶するか、あるいはコンピュータ可読媒体を介して送信することができる。コンピュータ可読媒体は、ある場所から別の場所へのコンピュータプログラムの転送を容易にする任意の媒体を含む、コンピュータ記憶媒体と通信媒体の両方を含む。記憶媒体は、コンピュータによってアクセスできる任意の利用可能な媒体とすることができる。限定ではなく例として、そのようなコンピュータ可読媒体は、ＲＡＭ、ＲＯＭ、ＥＥＰＲＯＭ、ＣＤ−ＲＯＭ、あるいは他の光ディスクストレージ、磁気ディスクストレージまたは他の磁気記憶デバイス、もしくは命令またはデータ構造の形態の所望のプログラムコードを搬送または記憶するために使用でき、コンピュータによってアクセスできる任意の他の媒体を備えることができる。また、接続を使用して、コンピュータ可読媒体を送信および／または受信することができる。たとえば、ソフトウェアは、同軸ケーブル、光ファイバケーブル、ツイストペア、デジタル加入者回線（ＤＳＬ）、または赤外線、無線、およびマイクロ波などのワイヤレス技術を使用してウェブサイト、サーバ、または他のリモートソースから送信できる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピーディスク（disk）およびブルーレイディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。
【０１４５】
開示した例の前述の説明は、当業者が本発明を実施または使用できるようにするために与えたものである。これらの例の様々な変更形態は、当業者には容易に明らかになるものであり、本明細書で定義した一般原理は、本開示の趣旨または範囲から逸脱することなく他の例に適用できる。したがって、本発明は、本明細書で示した例に限定されるものではなく、本明細書で開示した原理および新規の特徴に合致する最も広い範囲が与えられるべきである。
以下に、本願出願の当初の特許請求の範囲に記載された発明を付記する。
［Ｃ１］
ワイヤレス通信システム中で動作可能なデバイスであって、
ワイヤレス通信デバイスから複数の通信ノードのうちの１つによって受信された信号の電力レベルを示し、前記複数の通信ノードのうちの前記１つによって送信されたパイロット信号の送信電力を示すそれぞれのデータを、前記複数の通信ノードの各々から受信するように構成された受信機と、
前記複数の通信ノードのうちの前記１つによって受信された前記信号の前記電力レベルと、前記複数の通信ノードのうちの前記１つによって送信された前記パイロット信号の前記電力レベルとに少なくとも部分的に基づいて、前記複数の通信ノードからターゲット通信ノードを識別するように構成された選択モジュールと、
前記ワイヤレス通信デバイスに前記ターゲット通信ノードとの通信チャネルを確立させるように構成されたプロセッサと、
を備える、デバイス。
［Ｃ２］
前記選択モジュールは、前記複数の通信ノードのうちの前記１つによって受信された前記パイロット信号の前記電力レベルと、前記複数の通信ノードのうちの前記１つによって送信された前記パイロット信号の前記電力レベルとの最高の和をもつ前記複数の通信ノードのうちの前記１つを識別することによって、前記複数の通信ノードから前記ターゲット通信ノードを識別する、［Ｃ１］に記載のデバイス。
［Ｃ３］
前記プロセッサは、第１の通信ノードおよび前記ワイヤレス通信デバイスのうちの少なくとも１つに終了時間を示すデータを与えることであって、前記ワイヤレス通信デバイスと前記第１の通信ノードとの間の第２の通信チャネルが前記終了時間において終了される、終了時間を示すデータを与えることと、前記ターゲット通信ノードおよび前記ワイヤレス通信デバイスのうちの少なくとも１つに開始時間を示すデータを与えることであって、前記ワイヤレス通信デバイスと前記ターゲット通信ノードとの間の前記通信チャネルが第２の時間に確立される、開始時間を示すデータを与えることと、を行うようにさらに構成された、［Ｃ１］に記載のデバイス。
［Ｃ４］
前記複数の通信ノードのうちの１つによって送信された前記パイロット信号は、信号品質と識別子とを判断するための所定の信号を備える、［Ｃ１］に記載のデバイス。
［Ｃ５］
前記複数の通信ノードの各々の前記それぞれのデータは、前記複数の通信ノードの各々に送信された要求に応答して受信され、前記要求は、前記複数の通信ノードの各々に前記それぞれのデータを送信させる、［Ｃ１］に記載のデバイス。
［Ｃ６］
前記複数の通信ノードの各々は実質的に同じ識別子をブロードキャストする、［Ｃ１］に記載のデバイス。
［Ｃ７］
前記選択モジュールは、前記ワイヤレス通信デバイスが前記複数の通信ノードにアクセスできるかどうかを判断するようにさらに構成された、［Ｃ１］に記載のデバイス。
［Ｃ８］
前記複数の通信ノードのうちの前記１つによって送信された前記パイロット信号は、第１のチャネルおよびビーコンチャネルのうちの少なくとも１つを介して送信される、［Ｃ１］に記載のデバイス。
［Ｃ９］
前記要求は、前記複数の通信ノードのうちの少なくとも１つによって少なくとも１回の測定を実行するための時間、持続時間、および周期的間隔のうちの少なくとも１つを示すデータを備える、［Ｃ５］に記載のデバイス。
［Ｃ１０］
前記複数の通信ノードの各々から受信された前記それぞれのデータは、前記複数の通信ノードのうちの少なくとも１つによって実行される少なくとも１回の測定の時間、持続時間、および周期的間隔のうちの少なくとも１つを示すデータを備える、［Ｃ１］に記載のデバイス。
［Ｃ１１］
前記選択モジュールは、時間、持続時間、および周期的間隔のうちの少なくとも１つを示す前記データに少なくとも部分的に基づいて、前記複数の通信ノードから前記ターゲット通信ノードを識別するようにさらに構成された、［Ｃ１０］に記載のデバイス。
［Ｃ１２］
前記ワイヤレス通信デバイスは、セルフォン、携帯情報端末（ＰＤＡ）、スマートフォン、およびワイヤレスカードのうちの少なくとも１つを備え、前記複数の通信ノードの各々は、ピコノードおよびフェムトノードのうちの少なくとも１つを備え、前記第１の通信ノードは、ノードＢ、基地局、セルタワー、およびマクロノードのうちの少なくとも１つを備える、［Ｃ３］に記載のデバイス。
［Ｃ１３］
ワイヤレス通信デバイスから複数の通信ノードのうちの１つによって受信された信号の電力レベルを示し、前記複数の通信ノードのうちの前記１つによって送信されたパイロット信号の送信電力を示す、それぞれのデータを、前記複数の通信ノードの各々から受信することと、
前記複数の通信ノードのうちの前記１つによって受信された前記パイロット信号の前記電力レベルと、前記複数の通信ノードのうちの前記１つによって送信された前記パイロット信号の前記電力レベルと、に少なくとも部分的に基づいて、前記複数の通信ノードからターゲット通信ノードを識別することと、
前記ワイヤレス通信デバイスに前記ターゲット通信ノードとの通信チャネルを確立させることと
を備える、通信の方法。
［Ｃ１４］
前記ターゲット通信ノードを識別することは、前記複数の通信ノードのうちの前記１つによって受信された前記パイロット信号の前記電力レベルと、前記複数の通信ノードのうちの前記１つによって送信された前記パイロット信号の前記電力レベルとの最高の和をもつ前記複数の通信ノードのうちの前記１つを識別することを備える、［Ｃ１３］に記載の方法。
［Ｃ１５］
第１の通信ノードおよび前記ワイヤレス通信デバイスのうちの前記少なくとも１つに終了時間を示すデータを与えることであって、前記ワイヤレス通信デバイスと前記第１の通信ノードとの間の第２の通信チャネルは前記終了時間において終了される、終了時間を示すデータを与えることと、前記ターゲット通信ノードおよび前記ワイヤレス通信デバイスのうちの少なくとも１つに開始時間を示すデータを与えることであって、前記ワイヤレス通信デバイスと前記ターゲット通信ノードとの間の前記通信チャネルは第２の時間に確立される、開始時間を示すデータを与えることと、をさらに備える、［Ｃ１３］に記載の方法。
［Ｃ１６］
前記複数の通信ノードのうちの１つによって送信された前記パイロット信号は、信号品質と識別子とを判断するための所定の信号を備える、［Ｃ１３］に記載の方法。
［Ｃ１７］
前記複数の通信ノードの各々の前記それぞれのデータは、前記複数の通信ノードの各々に送信された要求に応答して受信され、前記要求は、前記複数の通信ノードの各々に前記それぞれのデータを送信させる、［Ｃ１３］に記載の方法。
［Ｃ１８］
前記複数の通信ノードの各々は、実質的に同じ識別子をブロードキャストする、［Ｃ１３］に記載の方法。
［Ｃ１９］
ワイヤレス通信デバイスが前記複数の通信ノードにアクセスできるかどうかを判断することをさらに備える、［Ｃ１３］に記載の方法。
［Ｃ２０］
前記複数の通信ノードのうちの前記１つによって送信された前記パイロット信号は、第１のチャネルおよびビーコンチャネルのうちの少なくとも１つを介して送信される、［Ｃ１３］に記載の方法。
［Ｃ２１］
前記要求は、前記複数の通信ノードのうちの少なくとも１つによって少なくとも１回の測定を実行するための時間、持続時間、および周期的間隔のうちの少なくとも１つを示すデータを備える、［Ｃ１７］に記載の方法。
［Ｃ２２］
前記複数の通信ノードの各々から受信された前記それぞれのデータは、前記複数の通信ノードのうちの少なくとも１つによって実行される少なくとも１回の測定の時間、持続時間、および周期的間隔のうちの少なくとも１つを示すデータを備える、［Ｃ１３］に記載の方法。
［Ｃ２３］
時間、持続時間、および周期的間隔のうちの少なくとも１つを示す前記データに少なくとも部分的に基づいて、前記ターゲット通信ノードを識別することをさらに備える、［Ｃ２２］に記載の方法。
［Ｃ２４］
前記ワイヤレス通信デバイスは、セルフォン、携帯情報端末（ＰＤＡ）、スマートフォン、およびワイヤレスカードのうちの少なくとも１つを備え、前記複数の通信ノードの各々は、ピコノードおよびフェムトノードのうちの少なくとも１つを備え、前記第１の通信ノードは、ノードＢ、基地局、セルタワー、およびマクロノードのうちの少なくとも１つを備える、［Ｃ１５］に記載の方法。
［Ｃ２５］
ワイヤレス通信システム中で動作可能なデバイスであって、
ワイヤレス通信デバイスから複数の通信ノードのうちの１つによって受信された信号の電力レベルを示し、前記複数の通信ノードのうちの前記１つによって送信されたパイロット信号の送信電力を示すそれぞれのデータを、前記複数の通信ノードの各々から受信するための手段と、
前記複数の通信ノードのうちの前記１つによって受信された前記パイロット信号の前記電力レベルと、前記複数の通信ノードのうちの前記１つによって送信された前記パイロット信号の前記電力レベルと、に少なくとも部分的に基づいて、前記複数の通信ノードからターゲット通信ノードを識別するための手段と、
前記ワイヤレス通信デバイスに前記ターゲット通信ノードとの通信チャネルを確立させるための手段と、
を備える、デバイス。
［Ｃ２６］
識別するための前記手段は、前記複数の通信ノードのうちの前記１つによって受信された前記パイロット信号の前記電力レベルと、前記複数の通信ノードのうちの前記１つによって送信された前記パイロット信号の前記電力レベルとの最高の和をもつ前記複数の通信ノードのうちの前記１つを識別することによって、前記複数の通信ノードから前記ターゲット通信ノードを識別する、［Ｃ２５］に記載のデバイス。
［Ｃ２７］
前記複数の通信ノードの各々から受信された前記それぞれのデータは、前記複数の通信ノードのうちの少なくとも１つによって実行される少なくとも１回の測定の時間、持続時間、および周期的間隔のうちの少なくとも１つを示すデータを備える、［Ｃ２５］に記載のデバイス。
［Ｃ２８］
確立させるための前記手段は、第１の通信ノードおよび前記ワイヤレス通信デバイスのうちの少なくとも１つに終了時間を示すデータを与えることであって、前記ワイヤレス通信デバイスと前記第１の通信ノードとの間の第２の通信チャネルは前記終了時間において終了される、終了時間を示すデータを与えることと、前記ターゲット通信ノードおよび前記ワイヤレス通信デバイスのうちの少なくとも１つに開始時間を示すデータを与えることであって、前記ワイヤレス通信デバイスと前記ターゲット通信ノードとの間の前記通信チャネルは第２の時間に確立される、開始時間を示すデータを与えることと、を行うようにさらに構成された、［Ｃ２５］に記載のデバイス。
［Ｃ２９］
前記ワイヤレス通信デバイスは、セルフォン、携帯情報端末（ＰＤＡ）、スマートフォン、およびワイヤレスカードのうちの少なくとも１つを備え、前記複数の通信ノードの各々は、ピコノードおよびフェムトノードのうちの少なくとも１つを備え、前記第１の通信ノードは、ノードＢ、基地局、セルタワー、およびマクロノードのうちの少なくとも１つを備える、［Ｃ２８］に記載のデバイス。
［Ｃ３０］
コンピュータに、ワイヤレス通信デバイスから複数の通信ノードのうちの１つによって受信されたパイロット信号の電力レベルを示し、前記複数の通信ノードのうちの前記１つによって送信されたパイロット信号の送信電力を示す、それぞれのデータを、前記複数の通信ノードの各々から受信させるためのコードと、
コンピュータに、前記複数の通信ノードのうちの前記１つによって受信された前記信号の前記電力レベルと、前記複数の通信ノードのうちの前記１つによって送信された前記パイロット信号の前記電力レベルと、に少なくとも部分的に基づいて、前記複数の通信ノードからターゲット通信ノードを識別させるためのコードと、
コンピュータに、前記ワイヤレス通信デバイスに前記ターゲット通信ノードとの通信チャネルを確立させることを行わせるためのコードと、
を備えるコンピュータ可読媒体
を備える、コンピュータプログラム製品。
［Ｃ３１］
コンピュータに、前記複数の通信ノードのうちの前記１つによって受信された前記パイロット信号の前記電力レベルと、前記複数の通信ノードのうちの前記１つによって送信された前記パイロット信号の前記電力レベルと、の最高の和をもつ前記複数の通信ノードのうちの前記１つを識別することによって、前記複数の通信ノードから前記ターゲット通信ノードを識別させるためのコードをさらに備える、［Ｃ３０］に記載のコンピュータプログラム製品。
［Ｃ３２］
前記複数の通信ノードの各々から受信された前記それぞれのデータは、前記複数の通信ノードのうちの少なくとも１つによって実行される少なくとも１回の測定の時間、持続時間、および周期的間隔のうちの少なくとも１つを示すデータを備える、［Ｃ３０］に記載のコンピュータプログラム製品。
［Ｃ３３］
コンピュータに、第１の通信ノードおよび前記ワイヤレス通信デバイスのうちの前記少なくとも１つに終了時間を示すデータを与えることであって、前記ワイヤレス通信デバイスと前記第１の通信ノードとの間の第２の通信チャネルは前記終了時間において終了される、終了時間を示すデータを与えることと、前記ターゲット通信ノードおよび前記ワイヤレス通信デバイスのうちの少なくとも１つに開始時間を示すデータを与えることであって、前記ワイヤレス通信デバイスと前記ターゲット通信ノードとの間の前記通信チャネルは第２の時間に確立される、開始時間を示すデータを与えることと、を行わせるためのコードをさらに備える、［Ｃ３０］に記載のコンピュータプログラム製品。
［Ｃ３４］
前記ワイヤレス通信デバイスは、セルフォン、携帯情報端末（ＰＤＡ）、スマートフォン、およびワイヤレスカードのうちの少なくとも１つを備え、前記複数の通信ノードの各々は、ピコノードおよびフェムトノードのうちの少なくとも１つを備え、前記第１の通信ノードは、ノードＢ、基地局、セルタワー、およびマクロノードのうちの少なくとも１つを備える、［Ｃ３３］に記載のコンピュータプログラム製品。
［Ｃ３５］
ワイヤレス通信システム中で動作可能なデバイスであって、
パイロット信号をワイヤレス通信デバイスに送信するように構成された送信機と、
前記ワイヤレス通信デバイスから受信された信号の電力レベルと、前記パイロット信号の送信電力と、を得るように構成された測定モジュールと、
を備え前記送信機は、前記ワイヤレス通信デバイスから受信された前記信号の前記電力レベルを示し、前記パイロット信号の前記送信電力を示す、データを通信サーバに送信するようにさらに構成された、デバイス。
［Ｃ３６］
前記パイロット信号は、第１のチャネルおよびビーコンチャネルのうちの少なくとも１つを介して送信される、［Ｃ３５］に記載のデバイス。
［Ｃ３７］
受信機は、前記測定モジュールによって、前記信号の前記電力レベルと前記パイロット信号の前記送信電力とを得るための時間、持続時間、および周期的間隔のうちの少なくとも１つを受信するようにさらに構成された、［Ｃ３５］に記載のデバイス。
［Ｃ３８］
前記測定モジュールは、時間、持続時間、および周期的間隔のうちの少なくとも１つの間に、前記信号の前記電力レベルと前記パイロット信号の前記送信電力とを得るようにさらに構成された、［Ｃ３５］に記載のデバイス。
［Ｃ３９］
前記送信機は、前記測定モジュールが前記信号の前記電力レベルと前記パイロット信号の前記送信電力とを得た時間、持続時間、および周期的間隔のうちの少なくとも１つを示すデータを送信するようにさらに構成された、［Ｃ３５］に記載のデバイス。
［Ｃ４０］
前記受信機は、前記通信サーバからメッセージを受信するようにさらに構成され、前記受信機および前記送信機のうちの少なくとも１つは、前記メッセージに少なくとも部分的に基づいて前記ワイヤレス通信デバイスとの通信チャネルを確立するようにさらに構成された、［Ｃ３５］に記載のデバイス。
［Ｃ４１］
パイロット信号をワイヤレス通信デバイスに送信することと、
前記ワイヤレス通信デバイスから受信された信号の電力レベルを示し、前記パイロット信号の送信電力を示す、データを得ることと、
ワイヤレス通信デバイスから受信された信号の電力レベルを示し、前記パイロット信号の送信電力を示す前記データを通信サーバに送信することと、
を備える通信の方法。
［Ｃ４２］
前記パイロット信号は、第１のチャネルおよびビーコンチャネルのうちの少なくとも１つを介して送信される、［Ｃ４１］に記載の方法。
［Ｃ４３］
測定モジュールによって、前記信号の前記電力レベルと前記パイロット信号の前記送信電力とを得るための時間、持続時間、および周期的間隔のうちの少なくとも１つを示すデータを受信することをさらに備える、［Ｃ４１］に記載の方法。
［Ｃ４４］
時間、持続時間、および周期的間隔のうちの少なくとも１つの間に、ワイヤレス通信デバイスから受信された信号の電力レベルを示し、前記パイロット信号の送信電力を示す、前記データを得ることをさらに備える、［Ｃ４１］に記載の方法。
［Ｃ４５］
ワイヤレス通信デバイスから受信された信号の電力レベルを示し前記パイロット信号の送信電力を示す前記データが得られた、時間、持続時間、および周期的間隔のうちの少なくとも１つを示すデータを送信することをさらに備える、［Ｃ４１］に記載の方法。
［Ｃ４６］
前記通信サーバからメッセージを受信することと、前記メッセージに少なくとも部分的に基づいて前記ワイヤレス通信デバイスとの通信チャネルを確立することとをさらに備える、［Ｃ４１］に記載の方法。
［Ｃ４７］
ワイヤレス通信システム中で動作可能なデバイスであって、
パイロット信号をワイヤレス通信デバイスに送信するための手段と、
前記ワイヤレス通信デバイスから受信された信号の電力レベルと前記パイロット信号の送信電力とを得るための手段と、
を備え、送信するための前記手段が、前記ワイヤレス通信デバイスから受信された前記信号の前記電力レベルと前記パイロット信号の前記送信電力とを示すデータを送信するようにさらに構成された、デバイス。
［Ｃ４８］
前記パイロット信号は、第１のチャネルおよびビーコンチャネルのうちの少なくとも１つを介して送信される、［Ｃ４７］に記載のデバイス。
［Ｃ４９］
受信するための前記手段は、前記測定モジュールによって、前記信号の前記電力レベルと前記パイロット信号の前記送信電力とを得るための時間、持続時間、および周期的間隔のうちの少なくとも１つを示すデータを受信するようにさらに構成された、［Ｃ４７］に記載のデバイス。
［Ｃ５０］
得るための前記手段は、時間、持続時間、および周期的間隔のうちの少なくとも１つの間に、ワイヤレス通信デバイスから受信された信号の電力レベルを示し、前記パイロット信号の送信電力を示す、前記データを得るようにさらに構成された、［Ｃ４７］に記載のデバイス。
［Ｃ５１］
送信するための前記手段は、ワイヤレス通信デバイスから受信された信号の電力レベルを示し前記パイロット信号の送信電力を示す前記データが得られた、時間、持続時間、および周期的間隔のうちの少なくとも１つを示すデータを送信するようにさらに構成された、［Ｃ４７］に記載のデバイス。
［Ｃ５２］
受信するための前記手段は、前記通信サーバからメッセージを受信するようにさらに構成され、送信するための前記手段および受信するための前記手段のうちの少なくとも１つは、前記メッセージに少なくとも部分的に基づいて前記ワイヤレス通信デバイスとの通信チャネルを確立するように構成された、［Ｃ４７］に記載のデバイス。
［Ｃ５３］
コンピュータに、パイロット信号をワイヤレス通信デバイスに送信させるためのコードと、
コンピュータに、ワイヤレス通信デバイスから受信された信号の電力レベルと前記パイロット信号の送信電力とを取得させるためのコードと、
コンピュータに、前記ワイヤレス通信デバイスから受信された前記信号の前記電力レベルと、前記パイロット信号の前記送信電力と、を示すデータを送信させるためのコードと、
を備えるコンピュータ可読媒体
を備える、コンピュータプログラム製品。
［Ｃ５４］
前記パイロット信号は、第１のチャネルおよびビーコンチャネルのうちの少なくとも１つを介して送信される、［Ｃ５３］に記載のコンピュータプログラム製品。
［Ｃ５５］
コンピュータに、測定モジュールによって、前記信号の前記電力レベルと前記パイロット信号の前記送信電力とを得るための、時間、持続時間、および周期的間隔のうちの少なくとも１つを示すデータを受信させるためのコードをさらに備える、［Ｃ５３］に記載のコンピュータプログラム製品。
［Ｃ５６］
コンピュータに、時間、持続時間、および周期的間隔のうちの少なくとも１つの間に、ワイヤレス通信デバイスから受信された信号の電力レベルを示し、前記パイロット信号の送信電力を示す、前記データを取得させるためのコードをさらに備える、［Ｃ５３］に記載のコンピュータプログラム製品。
［Ｃ５７］
コンピュータに、ワイヤレス通信デバイスから受信された信号の電力レベルを示し、前記パイロット信号の送信電力を示す、前記データが得られた、時間、持続時間、および周期的間隔のうちの少なくとも１つを示すデータを送信させるためのコードをさらに備える、［Ｃ５３］に記載のコンピュータプログラム製品。
［Ｃ５８］
コンピュータに、前記通信サーバからメッセージを受信させ、前記メッセージに少なくとも部分的に基づいて前記ワイヤレス通信デバイスとの通信チャネルを確立させるためのコードをさらに備える、［Ｃ５３］に記載のコンピュータプログラム製品。
【図１】
0005474997.tif 000010
【図２】
0005474997.tif 000011
【図３】
0005474997.tif 000012
【図４】
0005474997.tif 000013
【図５】
0005474997.tif 000014
【図６】
0005474997.tif 000015
【図７】
0005474997.tif 000016
【図８】
0005474997.tif 000017
【図９】
0005474997.tif 000018
【図１０】
0005474997.tif 000019
【図１１】
0005474997.tif 000020
【図１２】
0005474997.tif 000021
【図１３】
0005474997.tif 000022